(57)【要約】  抽出中および抽出後に温度と拡散を調整する、容器中の茶、コーヒーあるいは他の飲料を携帯して抽出するための方法、システム、および装置が開示されている。例えば、本技術により、人は出先にいながら茶、コーヒーおよび他の飲料を準備し消費することできる。いくつかの態様では、携帯用抽出装置は、飲料材料を囲み、キャニスター中の／からの水の拡散を制御する、内部に特殊なキャニスターシステムを持つ容器と、装置中の水の温度を連続的に調整するためのインテリジェント加熱および冷却システムと、動作機能を制御し且つ装置のユーザー特有の設定を保存するためにキャニスターと加熱および冷却システムと通信状態にあるデータ処理ユニットとを含む。【選択図】図９Ａ
2018521737.tif 000002
【特許請求の範囲】
【請求項１】
飲料抽出装置用の抽出キャニスターであって、該抽出キャニスターは：
ａ）少なくとも１つの開口部を含む内部キャニスター；
ｂ）少なくとも１つの開口部を含む外部キャニスター；
を含み、
内部キャニスターは、外部キャニスター内に少なくとも部分的に位置し、且つ抽出チャンバを形成するために外部キャニスターと共通の回転軸を有しており；内部キャニスター、外部キャニスター、又はその両方は、内部キャニスターの少なくとも１つの開口部及び外部キャニスターの少なくとも１つの開口部が、開位置で位置合わせを行い、又は閉位置で位置合わせを行わないように回転可能であり；及び
前記抽出キャニスターは、
ｃ）抽出キャニスターの外部にある流体が、開位置にある時は抽出チャンバに流入及びそこから流出することができるように、且つ閉位置にある時は抽出チャンバに流入及びそこから流出することができないように、開位置と閉位置とを調節するために、内部キャニスター、外部キャニスター、又はその両方を回転させるように動作可能なアクチュエータ
を含み；
抽出キャニスターは、抽出チャンバに抽出材料を含み、且つ抽出材料を抽出するために抽出チャンバに流入及びそこから流出する流体流を調整するように動作可能である
ことを特徴とする抽出キャニスター。
【請求項２】
データ処理ユニットと通信するためのコネクターを更に含み、該データ処理ユニットは、データを処理するためのプロセッサ、及びデータを記憶又はバッファリングするためのメモリを含む、ことを特徴とする請求項１に記載の抽出キャニスター。
【請求項３】
アクチュエータは、データ処理ユニットと通信状態にあるモーター又はサーボを含む、ことを特徴とする請求項２に記載の抽出キャニスター。
【請求項４】
アクチュエータはステッピング・モーターを含む、ことを特徴とする請求項３に記載の抽出キャニスター。
【請求項５】
データ処理ユニットは、開位置と閉位置とを調節するためにモーター又はサーボを制御するように構成される、ことを特徴とする請求項３に記載の抽出キャニスター。
【請求項６】
アクチュエータは、開位置と閉位置との間で抽出キャニスターをユーザーが手動で調節するのを可能にするための、内部キャニスターに繋げられるレバーを含む、ことを特徴とする請求項１に記載の抽出キャニスター。
【請求項７】
抽出チャンバ中の流体の温度を検出するための温度センサーと通信するためのコネクターを更に含む、請求項２に記載の抽出キャニスター。
【請求項８】
データ処理ユニットは温度センサーから温度データを受信するように構成される、ことを特徴とする請求項７に記載の抽出キャニスター。
【請求項９】
加熱ユニットと通信するためのコネクターを更に含む、請求項２に記載の抽出キャニスター。
【請求項１０】
データ処理ユニットは加熱ユニットの動作を制御するように構成される、ことを特徴とする請求項９に記載の抽出キャニスター。
【請求項１１】
冷却ユニットと通信するためのコネクターを更に含む、請求項２に記載の抽出キャニスター。
【請求項１２】
データ処理ユニットは冷却ユニットの動作を制御するように構成される、ことを特徴とする請求項１１に記載の抽出キャニスター。
【請求項１３】
内部キャニスター、外部キャニスター、又は内部キャニスターと外部キャニスターの両方の少なくとも１つの開口部は、１セットの穿孔部を含む、ことを特徴とする請求項１に記載の抽出キャニスター。
【請求項１４】
穿孔部は１マイクロメートル〜０．５ミリメートルの直径を持つ、ことを特徴とする請求項１３に記載の抽出キャニスター。
【請求項１５】
穿孔部は１０マイクロメートル〜１．５ミリメートルの直径を持つ、ことを特徴とする請求項１３に記載の抽出キャニスター。
【請求項１６】
アクチュエータは、開位置と閉位置とを調節するために内部キャニスターを１度〜１８０度回転させる、ことを特徴とする請求項１に記載の抽出キャニスター。
【請求項１７】
アクチュエータは、開位置と閉位置とを調節するために内部キャニスターを約９０度回転させる、ことを特徴とする請求項１６に記載の抽出キャニスター。
【請求項１８】
携帯用飲料抽出装置であって：
ａ）一端で開口し、且つ、流体を含むように構成された内部チャンバを形成する容器本体；及び
ｂ）内部チャンバに位置する抽出キャニスター
を含み、該抽出キャニスターは：
ｉ）少なくとも１つの開口部を含む内部キャニスター；
ｉｉ）少なくとも１つの開口部を含む外部キャニスター；
を含み、
内部キャニスターは、抽出チャンバを形成するために外部キャニスター内に位置し；内部キャニスター、外部キャニスター、又はその両方は、内部キャニスターの少なくとも１つの開口部及び外部キャニスターの少なくとも１つの開口部が、開位置で位置合わせを行い、又は閉位置で位置合わせを行わないように回転可能であり；及び
前記抽出キャニスターは、
ｉｉｉ）流体が、開位置にある時は抽出チャンバに流入及びそこから流出することができるように、且つ閉位置にある時は抽出チャンバに流入及びそこから流出することができないように、開位置と閉位置とを調節するために、内部キャニスター、外部容器、又はその両方を回転させるように動作可能なアクチュエータ
を含み；
前記装置は、抽出チャンバに抽出材料を含み、且つ抽出材料を抽出するために内部チャンバと抽出チャンバとの間の流体流を調整するように動作可能である
ことを特徴とする携帯用飲料抽出装置。
【請求項１９】
データを処理するためのプロセッサ及びデータを記憶又はバッファリングするためのメモリを含む、データ処理ユニットを更に含む、請求項１８に記載の携帯用飲料抽出装置。
【請求項２０】
加熱ユニットを更に含み、データ処理ユニットは、流体を加熱するための加熱ユニットの動作を制御するために、加熱ユニットと通信状態にある、ことを特徴とする請求項１９に記載の携帯用飲料抽出装置。
【請求項２１】
加熱ユニットはペルチェ装置を含む、ことを特徴とする請求項２０に記載の携帯用飲料抽出装置。
【請求項２２】
内部チャンバ中の流体の温度を検出するための温度センサーを更に含む、請求項１９に記載の携帯用飲料抽出装置。
【請求項２３】
データ処理ユニットは、温度センサーから温度データを受信し、且つ、検出された温度に基づいて流体の温度を調整するように構成される、ことを特徴とする請求項２２に記載の携帯用飲料抽出装置。
【請求項２４】
アクチュエータは、データ処理ユニットと通信状態にあるモーター又はサーボを含む、ことを特徴とする請求項１９に記載の携帯用飲料抽出装置。
【請求項２５】
アクチュエータはステッピング・モーターを含む、ことを特徴とする請求項２４に記載の携帯用飲料抽出装置。
【請求項２６】
データ処理ユニットは、開位置と閉位置との間で抽出キャニスターを調節するためにモーター又はサーボを制御するように構成される、ことを特徴とする請求項２４に記載の携帯用飲料抽出装置。
【請求項２７】
容器本体の外部の上にあり且つデータ処理ユニットと通信状態にあるディスプレイを更に含み、ディスプレイは、流体の温度、抽出プロセスの段階、抽出プロセスの残り時間、抽出プロセスの経過時間、又はそれらの組み合わせを表示するように構成される、ことを特徴とする請求項１９に記載の携帯用飲料抽出装置。
【請求項２８】
ディスプレイはタッチスクリーンディスプレイである、ことを特徴とする請求項２７に記載の携帯用飲料抽出装置。
【請求項２９】
抽出キャニスターは、抽出材料を含むように内部キャニスターに可逆的に取り付け可能なキャップを含む、ことを特徴とする請求項１８に記載の携帯用飲料抽出装置。
【請求項３０】
開口部を覆うための可逆的に取り付け可能な蓋を更に含み、該蓋は、蓋が容器本体に付けられる時に流体が内部チャンバから流れることを可能にするためのアパ−チャー及びアパ−チャーカバーを含む、ことを特徴とする請求項１８に記載の携帯用飲料抽出装置。
【請求項３１】
容器本体に可逆的に取り付け可能なハウジングコンパートメントを更に含み、該ハウジングコンパートメントは、中に品物を保存するための中空内部領域を含む、ことを特徴とする請求項１８に記載の携帯用飲料抽出装置。
【請求項３２】
アクチュエータは、開位置と閉位置との間でユーザーが抽出キャニスターを手動で調節することを可能にするために、内部キャニスターに繋げられたレバー、及び容器本体の外部上にノブを含む、ことを特徴とする請求項１８に記載の携帯用飲料抽出装置。
【請求項３３】
冷却ユニットを更に含み、データ処理ユニットは、流体を冷却するための冷却ユニットの動作を制御するために、冷却ユニットと通信状態にある、ことを特徴とする請求項１９に記載の携帯用飲料抽出装置。
【請求項３４】
冷却ユニットは、強制対流を生成するためのスピニング装置を含む、ことを特徴とする請求項３３に記載の携帯用飲料抽出装置。
【請求項３５】
冷却ユニットはペルチェ装置を含む、ことを特徴とする請求項３３に記載の携帯用飲料抽出装置。
【請求項３６】
飲料抽出装置の抽出キャニスターを作動させる方法であって、該抽出キャニスターは：少なくとも１つの開口部を含む内部キャニスター、及び少なくとも１つの開口部を含む外部キャニスターを含み；内部キャニスターは、外部キャニスター内に位置し、且つ抽出チャンバを形成するために外部キャニスターと共通の回転軸を有しており；内部キャニスター、外部キャニスター、又はその両方は、内部キャニスターの少なくとも１つの開口部及び外部キャニスターの少なくとも１つの開口部が、開位置で位置合わせを行い、又は閉位置で位置合わせを行わないように回転可能であり、
前記方法は；
ａ）抽出キャニスターの外部にある流体の温度を検出する工程；及び
ｂ）流体の温度に応じてアクチュエータを作動させる工程であって、アクチュエータは、抽出キャニスターの外部にある流体が、開位置にある時は抽出チャンバに流入及びそこから流出することができるように、且つ閉位置にある時は抽出チャンバに流入及びそこから流出することができないように、開位置と閉位置とを調節するために、内部キャニスター、外部キャニスター、又はその両方を回転させるように構成される、工程
を含み；
但し、抽出キャニスターは、抽出チャンバに抽出材料を含むように構成され、アクチュエータの動作は、抽出材料を抽出するために抽出チャンバに流入及びそこから流出する流体流を調整する
ことを特徴とする方法。
【請求項３７】
アクチュエータの動作は、データを処理するためのプロセッサ及びデータを記憶又はバッファリングするためのメモリを含む、データ処理ユニットにより実行され、ここで、データ処理ユニットは、抽出キャニスターの動作を制御するためにアクチュエータと通信状態にある、ことを特徴とする請求項３６に記載の方法。
【請求項３８】
アクチュエータは、データ処理ユニットと通信状態にあるモーター又はサーボを含む、ことを特徴とする請求項３７に記載の方法。
【請求項３９】
データ処理ユニットは、開位置と閉位置とを調節するためにモーター又はサーボを制御するように構成される、ことを特徴とする請求項３８に記載の方法。
【請求項４０】
流体の温度の検出は、データを処理するためのプロセッサ及びデータを記憶又はバッファリングするためのメモリを含む、データ処理ユニットにより実行され、ここで、データ処理ユニットは、温度センサーと通信状態にある、ことを特徴とする請求項３６に記載の方法。
【請求項４１】
データ処理ユニットは温度センサーから温度データを受信するように構成される、ことを特徴とする請求項４０に記載の方法。
【請求項４２】
アクチュエータの動作は更に、予め構成された抽出開始時間に応じてデータ処理ユニットにより実行される、ことを特徴とする請求項３７に記載の方法。
【請求項４３】
内部キャニスター、外部キャニスター、又は内部キャニスターと外部キャニスターの両方の少なくとも１つの開口部は、１セットの穿孔部を含む、ことを特徴とする請求項３６に記載の方法。
【請求項４４】
穿孔部は１マイクロメートル〜０．５ミリメートルの直径を持つ、ことを特徴とする請求項４３に記載の方法。
【請求項４５】
穿孔部は１０マイクロメートル〜１．５ミリメートルの直径を持つ、ことを特徴とする請求項４３に記載の方法。
【請求項４６】
アクチュエータを作動させる工程は、開位置と閉位置とを調節するために内部キャニスターを１度〜１８０度回転させることを含む、ことを特徴とする請求項３６に記載の方法。
【請求項４７】
アクチュエータを作動させる工程は、開位置と閉位置とを調節するために内部キャニスターを約９０度回転させることを含む、ことを特徴とする請求項４６に記載の方法。
【請求項４８】
抽出温度にまで流体を加熱する工程を更に含む、請求項３６に記載の方法。
【請求項４９】
流体を加熱する工程は、データを処理するためのプロセッサ及びデータを記憶又はバッファリングするためのメモリを含む、データ処理ユニットにより実行され、ここで、データ処理ユニットは、加熱ユニットと通信状態にある、ことを特徴とする請求項４８に記載の方法。
【請求項５０】
データ処理ユニットは、流体を加熱するための加熱ユニットの動作を制御するために、加熱ユニットと通信状態にある、ことを特徴とする請求項４９に記載の方法。
【請求項５１】
飲用温度にまで流体を冷却する工程を更に含む、請求項３６に記載の方法。
【請求項５２】
流体を冷却する工程は、データを処理するためのプロセッサ及びデータを記憶又はバッファリングするためのメモリを含む、データ処理ユニットにより実行され、ここで、データ処理ユニットは、冷却ユニットと通信状態にある、ことを特徴とする請求項５１に記載の方法。
【請求項５３】
データ処理ユニットは、流体を冷却するための冷却ユニットの動作を制御するために、冷却ユニットと通信状態にある、ことを特徴とする請求項５２に記載の方法。
【請求項５４】
抽出装置により飲料を抽出する方法であって、該方法は：
ａ）抽出装置の抽出キャニスターに抽出材料を詰める工程であって、該抽出キャニスターは、少なくとも１つの開口部を含む内部キャニスター、及び少なくとも１つの開口部を含む外部キャニスターを含み；内部キャニスターは、外部キャニスター内に位置し、且つ、抽出材料を含むように構成された抽出チャンバを形成するために外部キャニスターと共通の回転軸を有しており；内部キャニスター、外部キャニスター、又はその両方は、内部キャニスターの少なくとも１つの開口部及び外部キャニスターの少なくとも１つの開口部が、開位置で位置合わせを行い、又は閉位置で位置合わせを行わないように回転可能であり；及び、前記抽出キャニスターは、抽出キャニスターの外部にある流体が、開位置にある時は抽出チャンバに流入及びそこから流出することができるように、且つ閉位置にある時は抽出チャンバに流入及びそこから流出することができないように、開位置と閉位置とを調節するために、内部キャニスター、外部キャニスター、又はその両方を回転させるように構成されたアクチュエータを含む、工程；及び
ｂ）抽出材料を抽出するための抽出チャンバに流入及びそこから流出する流体流を調整するためにアクチュエータを作動させるように実行可能な抽出プロトコルを提供する工程
を含む、方法。
【請求項５５】
抽出装置は、データを処理するためのプロセッサ及びデータを記憶又はバッファリングするためのメモリを含む、データ処理ユニットを含んでおり、ここで、データ処理ユニットは、アクチュエータの動作を制御するためにアクチュエータと通信状態にあり、データ処理ユニットは抽出プロトコルを実行する、ことを特徴とする請求項５４に記載の方法。
【請求項５６】
抽出プロトコルは、抽出温度にまで流体を加熱する工程を含む、ことを特徴とする請求項５５に記載の方法。
【請求項５７】
流体を加熱する工程は加熱ユニットにより行われ、データ処理ユニットは、流体を加熱するための加熱ユニットの動作を制御するために、加熱ユニットと通信状態にある、ことを特徴とする請求項５６に記載の方法。
【請求項５８】
抽出プロトコルは、飲用温度にまで流体を冷却する工程を含む、ことを特徴とする請求項５５に記載の方法。
【請求項５９】
流体を冷却する工程は冷却ユニットにより行われ、データ処理ユニットは、流体を冷却するための冷却ユニットの動作を制御するために、冷却ユニットと通信状態にある、ことを特徴とする請求項５８に記載の方法。
【請求項６０】
携帯用飲料抽出プラットフォームであって：
ａ）携帯用飲料抽出装置であって、携帯用飲料抽出装置は：一端で開口し、且つ、流体を含むように構成された内部チャンバを形成する容器本体；内部のチャンバに位置付けられる抽出キャニスターを含み、該抽出キャニスターは：
１）少なくとも１つの開口部を含む内部キャニスター、及び少なくとも１つの開口部を含む外部キャニスターであって；内部キャニスターは、外部キャニスター内に位置し、且つ、抽出材料を含むように構成された抽出チャンバを形成するために外部キャニスターと共通の回転軸を有しており；内部キャニスター、外部キャニスター、又はその両方は、内部キャニスターの少なくとも１つの開口部及び外部キャニスターの少なくとも１つの開口部が、開位置で位置合わせを行い、又は閉位置で位置合わせを行わないように回転可能である、少なくとも１つの開口部を含む内部キャニスター、及び少なくとも１つの開口部を含む外部キャニスター；及び
２）内部チャンバにある流体が、開位置にある時は抽出チャンバに流入及びそこから流出することができるように、且つ閉位置にある時は抽出チャンバに流入及びそこから流出することができないように、開位置と閉位置とを調節するために、内部キャニスター、外部キャニスター、又はその両方を回転させるように構成されたアクチュエータを含む
携帯用飲料抽出装置；
ｂ）携帯用消費者向け飲料抽出アプリケーションを提供するように構成されたモバイルプロセッサであって、該携帯用消費者向け飲料抽出アプリケーションは：
ｉ）消費者が予め構成された抽出プロトコルを選択する又はカスタム抽出プロトコルを構成することを可能にするユーザーインターフェースを提示するソフトウェアモジュールであって、抽出プロトコルはそれぞれ抽出温度と抽出時間を含む、ソフトウェアモジュール；及び
ｉｉ）抽出材料を抽出するための抽出チャンバへの流体流を調整するために、携帯用飲料抽出装置に、選択された予め構成された抽出プロトコル又は消費者により構成されたカスタム抽出プロトコルを無線で送信する、ソフトウェアモジュールを含む、
モバイルプロセッサ
を含む、携帯用飲料抽出プラットフォーム。
【請求項６１】
携帯用飲料抽出装置は、データを処理するためのプロセッサ及びデータを記憶又はバッファリングするためのメモリを含む、データ処理ユニットを更に含む、ことを特徴とする請求項６０に記載の携帯用飲料抽出プラットフォーム。
【請求項６２】
携帯用飲料抽出装置は加熱ユニットを更に含み、データ処理ユニットは、流体を加熱するための加熱ユニットの動作を制御するために、加熱ユニットと通信状態にある、ことを特徴とする請求項６１に記載の携帯用飲料抽出プラットフォーム。
【請求項６３】
加熱ユニットはペルチェ装置を含む、ことを特徴とする請求項６２に記載の携帯用飲料抽出プラットフォーム。
【請求項６４】
携帯用飲料抽出装置は、内部チャンバ中の流体の温度を検出するための温度センサーを更に含む、ことを特徴とする請求項６２に記載の携帯用飲料抽出プラットフォーム。
【請求項６５】
データ処理ユニットは、温度センサーから温度データを受信し、且つ、検出された温度に基づいて流体の温度を調整するように構成される、ことを特徴とする請求項６４に記載の携帯用飲料抽出プラットフォーム。
【請求項６６】
アクチュエータは、データ処理ユニットと通信状態にあるモーター又はサーボを含む、ことを特徴とする請求項６１に記載の携帯用飲料抽出プラットフォーム。
【請求項６７】
アクチュエータはステッピング・モーターを含む、ことを特徴とする請求項６６に記載の携帯用飲料抽出プラットフォーム。
【請求項６８】
データ処理ユニットは、開位置と閉位置との間で抽出キャニスターを調節するためにモーター又はサーボを制御するように構成される、ことを特徴とする請求項６６に記載の携帯用飲料抽出プラットフォーム。
【請求項６９】
携帯用飲料抽出装置は更に、容器本体の外部上にあり且つデータ処理ユニットと通信状態にあるディスプレイを含み、ここで、ディスプレイは、流体の温度、抽出プロセスの段階、抽出プロセスの残り時間、抽出プロセスの経過時間、又はそれらの組み合わせを表示するように構成される、ことを特徴とする請求項６１に記載の携帯用飲料抽出プラットフォーム。
【請求項７０】
ディスプレイはタッチスクリーンディスプレイである、ことを特徴とする請求項６９に記載の携帯用飲料抽出プラットフォーム。
【請求項７１】
抽出キャニスターは、抽出材料を含むように内部キャニスターに可逆的に取り付け可能なキャップを含む、ことを特徴とする請求項６０に記載の携帯用飲料抽出プラットフォーム。
【請求項７２】
携帯用飲料抽出装置は更に、開口部を覆うための可逆的に取り付け可能な蓋を含み、該蓋は、蓋が容器本体に付けられる時に流体が内部チャンバから流れることを可能にするためのアパーチャー及びアパーチャーカバーを含む、ことを特徴とする請求項６０に記載の携帯用飲料抽出プラットフォーム。
【請求項７３】
携帯用飲料抽出装置は、容器本体に可逆的に取り付け可能なハウジングコンパートメントを更に含み、該ハウジングコンパートメントは、中に品物を保存するための中空内部領域を含む、ことを特徴とする請求項６０に記載の携帯用飲料抽出プラットフォーム。
【請求項７４】
アクチュエータは、開位置と閉位置との間でユーザーが抽出キャニスターを手動で起動させることを可能にするために、内部キャニスターに繋げられたレバー、及び容器本体の外部上にノブを含む、ことを特徴とする請求項６０に記載の携帯用飲料抽出装置。
【請求項７５】
携帯用飲料抽出装置は冷却ユニットを更に含み、データ処理ユニットは、流体を冷却するための冷却ユニットの動作を制御するために、冷却ユニットと通信状態にある、ことを特徴とする請求項６１に記載の携帯用飲料抽出プラットフォーム。
【請求項７６】
冷却ユニットは、流体に渦を作り出し強制対流を生成するためのスピニング装置を含む、ことを特徴とする請求項７５に記載の携帯用飲料抽出プラットフォーム。
【請求項７７】
冷却ユニットはペルチェ装置を含む、ことを特徴とする請求項７５に記載の携帯用飲料抽出プラットフォーム。
【請求項７８】
各抽出プロトコルは飲用温度を更に含む、ことを特徴とする請求項６０に記載の携帯用飲料抽出プラットフォーム。
【請求項７９】
各抽出プロトコルは更に、抽出シーケンスが開始される時のプロトコル実行速度を含む、ことを特徴とする請求項６０に記載の携帯用飲料抽出プラットフォーム。
【請求項８０】
携帯用飲料抽出装置は更に、内部チャンバへの材料の制御された放出のために少なくとも１つのリザーバを更に含む、ことを特徴とする請求項６０に記載の携帯用飲料抽出プラットフォーム。
【請求項８１】
各抽出プロトコルは更に、追加の材料が分注される時の、分注される追加の材料の識別を含む、ことを特徴とする請求項８０に記載の携帯用飲料抽出プラットフォーム。
【請求項８２】
携帯用飲料抽出装置は更に、流体を撹拌するように構成された内部チャンバにスピニング装置を含む、ことを特徴とする請求項６０に記載の携帯用飲料抽出プラットフォーム。
【請求項８３】
各抽出プロトコルは更に、スピニング装置が起動された時の、スピニング装置の速度、及びスピニング装置が作動する時間の長さを含む、ことを特徴とする請求項８２に記載の携帯用飲料抽出プラットフォーム。
【請求項８４】
複数の予め構成された抽出プロトコルは、茶、薄いコーヒー、及び濃いコーヒーのために予め構成された抽出プロトコルを含む、ことを特徴とする請求項６０に記載の携帯用飲料抽出プラットフォーム。
【請求項８５】
アプリケーションは更に、選択された予め構成された抽出プロトコル又は消費者により構成されたカスタム抽出プロトコルの開始時間の予定を消費者が立てることを可能にするユーザーインターフェースを提示する、ソフトウェアモジュールを含む、ことを特徴とする請求項６０に記載の携帯用飲料抽出プラットフォーム。
【請求項８６】
開始時間は繰返しの開始時間である、ことを特徴とする請求項８５に記載の携帯用飲料抽出プラットフォーム。
【請求項８７】
デジタル処理装置を含むコンピュータ実装システムであって、該デジタル処理装置は：
少なくとも１つのプロセッサ、実行可能命令を行なうように構成されたオペレーティングシステム、メモリ、及び、消費者向け飲料抽出アプリケーションを作成するためにデジタル処理装置により実行可能な命令を含むコンピュータプログラムを含み、
前記消費者向け飲料抽出アプリケーションは：
ａ）消費者が複数の予め構成された抽出プロトコルから１つの予め構成された抽出プロトコルを選択するのを可能にするユーザーインターフェースを提示するソフトウェアモジュールであって、抽出プロトコルはそれぞれ抽出温度と抽出時間を含む、ソフトウェアモジュール；
ｂ）消費者がカスタム抽出プロトコルを構成するのを可能にするユーザーインターフェースを提示するソフトウェアモジュールであって、該ユーザーインターフェースは抽出温度及び抽出時間に関する値を消費者が入力するための要素を含む、ソフトウェアモジュール；及び
ｃ）携帯用飲料抽出装置に、選択された予め構成された抽出プロトコル又は消費者により構成されたカスタム抽出プロトコルを無線で送信するソフトウェアモジュールを含み；
但し、送信された抽出プロトコルは、携帯用飲料抽出装置を作動させるのに有効である
ことを特徴とするコンピュータ実装システム。
【請求項８８】
複数の予め構成された抽出プロトコルは、茶、薄いコーヒー、及び濃いコーヒーのために予め構成された抽出プロトコルを含む、ことを特徴とする請求項８７に記載のコンピュータ実装システム。
【請求項８９】
消費者がカスタム抽出プロトコルを構成するのを可能にするユーザーインターフェースを提示するソフトウェアモジュールは、飲用温度に関する値を消費者が入力するための要素を含む、ことを特徴とする請求項８７に記載のコンピュータ実装システム。
【請求項９０】
消費者がカスタム抽出プロトコルを構成するのを可能にするユーザーインターフェースを提示するソフトウェアモジュールは、抽出シーケンスが開始された時のプロトコル実行速度に関する値を消費者が入力するための要素を含む、ことを特徴とする請求項８７に記載のコンピュータ実装システム。
【請求項９１】
消費者がカスタム抽出プロトコルを構成するのを可能にするユーザーインターフェースを提示するソフトウェアモジュールは、追加の材料が分注される時の分注される追加の材料の識別に関する値を消費者が入力するための要素を含む、ことを特徴とする請求項８７に記載のコンピュータ実装システム。
【請求項９２】
消費者がカスタム抽出プロトコルを構成するのを可能にするユーザーインターフェースを提示するソフトウェアモジュールは、スピニング装置が起動される時の、スピニング装置の速度、及びスピニング装置が作動する時間の長さに関する値を消費者が入力するための要素を含む、ことを特徴とする請求項８７に記載のコンピュータ実装システム。
【請求項９３】
アプリケーションは更に、選択された予め構成された抽出プロトコル又は消費者により構成されたカスタム抽出プロトコルの開始時間の予定をユーザーが立てることを可能にするユーザーインターフェースを提示する、ソフトウェアモジュールを含む、ことを特徴とする請求項８７に記載のコンピュータ実装システム。
【請求項９４】
開始時間は繰返しの開始時間である、ことを特徴とする請求項９３に記載のコンピュータ実装システム。
【請求項９５】
消費者向け飲料抽出アプリケーションを作成するために、プロセッサによって実行可能な命令を含むコンピュータプログラムでコードされる、非一時的コンピュータ可読記憶媒体であって、前記アプリケーションは：
ａ）消費者が複数の予め構成された抽出プロトコルから１つの予め構成された抽出プロトコルを選択するのを可能にするユーザーインターフェースを提示するソフトウェアモジュールであって、抽出プロトコルはそれぞれ抽出温度と抽出時間を含む、ソフトウェアモジュール；
ｂ）消費者がカスタム抽出プロトコルを構成するのを可能にするユーザーインターフェースを提示するソフトウェアモジュールであって、該ユーザーインターフェースは抽出温度及び抽出時間に関する値を消費者が入力するための要素を含む、ソフトウェアモジュール；及び
ｃ）携帯用飲料抽出装置に、選択された予め構成された抽出プロトコル又は消費者により構成されたカスタム抽出プロトコルを無線で送信するソフトウェアモジュール
を含み；
但し、送信された抽出プロトコルは、携帯用飲料抽出装置を作動させるのに有効である
ことを特徴とする非一時的コンピュータ可読記憶媒体。
【請求項９６】
複数の予め構成された抽出プロトコルは、茶、薄いコーヒー、及び濃いコーヒーのために予め構成された抽出プロトコルを含む、ことを特徴とする請求項９５に記載の非一時的コンピュータ可読記憶媒体。
【請求項９７】
消費者がカスタム抽出プロトコルを構成するのを可能にするユーザーインターフェースを提示するソフトウェアモジュールは、飲用温度に関する値を消費者が入力するための要素を含む、ことを特徴とする請求項９５に非一時的コンピュータ可読記憶媒体。
【請求項９８】
消費者がカスタム抽出プロトコルを構成するのを可能にするユーザーインターフェースを提示するソフトウェアモジュールは、抽出シーケンスが開始された時のプロトコル実行速度に関する値を消費者が入力するための要素を含む、ことを特徴とする請求項９５に記載の非一時的コンピュータ可読記憶媒体。
【請求項９９】
消費者がカスタム抽出プロトコルを構成するのを可能にするユーザーインターフェースを提示するソフトウェアモジュールは、追加の材料が分注される時の分注される追加の材料の識別に関する値を消費者が入力するための要素を含む、ことを特徴とする請求項９５に記載のコンピュータ非一時的コンピュータ可読記憶媒体。
【請求項１００】
消費者がカスタム抽出プロトコルを構成するのを可能にするユーザーインターフェースを提示するソフトウェアモジュールは、スピニング装置が起動される時の、スピニング装置の速度、及びスピニング装置が作動する時間の長さに関する値を消費者が入力するための要素を含む、ことを特徴とする請求項９５に記載の非一時的コンピュータ可読記憶媒体。
【請求項１０１】
アプリケーションは更に、選択された予め構成された抽出プロトコル又は消費者により構成されたカスタム抽出プロトコルの開始時間の予定を消費者が立てることを可能にするユーザーインターフェースを提示する、ソフトウェアモジュールを含む、ことを特徴とする請求項９５に記載の非一時的コンピュータ可読記憶媒体。
【請求項１０２】
開始時間は繰返しの開始時間である、ことを特徴とする請求項１０１に記載の非一時的コンピュータ可読記憶媒体。
【請求項１０３】
携帯用飲料抽出装置であって：
ａ）一端で開口し、且つ、流体を含むように構成された内部チャンバを形成する容器本体；
ｂ）データ処理ユニット；
ｃ）流体を加熱するためにデータ処理ユニットと通信状態にある加熱ユニット；
ｄ）データ処理ユニットと通信状態にある内部チャンバにあり、且つ、流体を撹拌し、流体を冷却し、又は流体の撹拌と冷却の両方を行うように構成される、スピニング装置；及び
ｅ）内部チャンバに位置する抽出キャニスター
を含み、該抽出キャニスターは：
ｉ）少なくとも１つの開口部を含む内部キャニスター；
ｉｉ）少なくとも１つの開口部を含む外部キャニスター；
を含み、
内部キャニスターは、抽出チャンバを形成するために外部キャニスター内に位置し；内部キャニスター、外部キャニスター、又はその両方は、内部キャニスターの少なくとも１つの開口部及び外部キャニスターの少なくとも１つの開口部が、開位置で位置合わせを行い、又は閉位置で位置合わせを行わないように回転可能であり；及び
前記抽出キャニスターは更に、
ｉｉｉ）データ処理ユニットと通信状態にあり、及び、流体が、開位置にある時は抽出チャンバに流入及びそこから流出することができる、且つ閉位置にある時は抽出チャンバに流入及びそこから流出することができないように、開位置と閉位置とを調節するために、内部キャニスター、外部キャニスター、又はその両方を回転させるように動作可能である、アクチュエータ
を含み；
前記装置は、抽出チャンバに抽出材料を含み、且つ抽出材料を抽出するために内部チャンバと抽出チャンバとの間の流体流を調整するように動作可能である
ことを特徴とする携帯用飲料抽出装置。
【請求項１０４】
流体を冷却するためにデータ処理ユニットと通信状態にある冷却ユニットを更に含む、請求項１０３に記載の携帯用飲料抽出装置。
【請求項１０５】
データ処理ユニットと通信状態にある、容器本体の外部上にディスプレイを更に含む、請求項１０３に記載の携帯用飲料抽出装置。
【請求項１０６】
ディスプレイはタッチスクリーンディスプレイである、ことを特徴とする請求項１０５に記載の携帯用飲料抽出装置。
【請求項１０７】
内部チャンバへの材料の制御された放出のために、データ処理ユニットと通信状態にある少なくとも１つのリザーバを更に含む、請求項１０３に記載の携帯用飲料抽出。
【請求項１０８】
材料の放出は、データ処理ユニットと通信状態にあるバルブ又はソレノイドにより制御される、ことを特徴とする請求項１０７に記載の携帯用飲料抽出。
【発明の詳細な説明】
【技術分野】
【０００１】
関連出願への相互参照
本出願は、２０１６年１月２９日出願の米国仮特許出願第６２／２８８，７５２号、および２０１５年６月１７日出願の米国仮特許出願第６２／１８１，１０５号の利益を主張するものであり、これら各々の全ての内容は、引用により本明細書に組み込まれる。
【０００２】
この特許文書は、飲料の抽出のための装置、プロセス、プラットフォーム、システム、および媒体に関連する。
【背景技術】
【０００３】
茶は、世界で遍在的に楽しまれる飲料である。例えば、茶は、水に次いで世界で２番目に広く消費されている飲料である。茶は、植物「Ｃａｍｅｌｌｉａ  ｓｉｎｅｎｓｉｓ」の葉に由来するものであり、様々な方法で加工することができ、多くのソースからの様々なハーブおよび他の成分、並びに様々な種類の茶を生成するための様々な異なる風味を含む。典型的に、茶のソースから風味、色、および香りを抽出するために、水などの熱い（または場合により、冷たい）溶媒を用いて、茶が抽出または注がれる、例えば、風味と香りのために刺激物として特定の茶の健康上の利益を含む様々な理由に基づいて、および／または、文化的習性に基づいて、人々は茶を飲む。同様に、コーヒーも遍在的に楽しまれている飲料であり、茶に次いで世界で３番目に広く消費されている飲料である。典型的に、コーヒーは、茶と同様の様式で抽出または注がれ、且つ人々は茶と同様の理由でコーヒーを飲む。
【発明の概要】
【０００４】
抽出中および抽出後に温度と拡散を調節する運搬可能な容器において、茶、コーヒー、または他の抽出可能な飲料を持ち運び可能な状態で抽出するための方法、システム、装置、プラットフォーム、機構、および媒体が、開示される。
【０００５】
１つの態様において、本明細書には、飲料抽出装置用の抽出キャニスターが開示され、該抽出キャニスターは：少なくとも１つの開口部を含む内部キャニスター；少なくとも１つの開口部を含む外部キャニスターを含み；内部キャニスターは、外部キャニスター内に少なくとも部分的に位置し、且つ抽出チャンバを形成するために外部キャニスターと共通の回転軸を有しており；内部キャニスター、外部キャニスター、またはその両方は、内部キャニスターの少なくとも１つの開口部および外部キャニスターの少なくとも１つの開口部が、開位置で位置合わせを行い、または閉位置で位置合わせを行わないように回転可能であり；および、前記抽出キャニスターは、抽出キャニスターの外部にある流体が、開位置にある時は抽出チャンバに流入およびそこから流出することができるように、且つ閉位置にある時は抽出チャンバに流入およびそこから流出することができないように、開位置と閉位置とを調節するために、内部キャニスター、外部キャニスター、またはその両方を回転させるように動作可能なアクチュエータを含み；抽出キャニスターは、抽出チャンバに抽出材料を含み、且つ抽出材料を抽出するために抽出チャンバに流入およびそこから流出する流体流を調整するように動作可能である。いくつかの実施形態において、抽出キャニスターは更に、データ処理ユニットと通信するためのコネクターを含み、データ処理ユニットは、データを処理するためのプロセッサ、およびデータを記憶またはバッファリングするためのメモリを含む。更なる実施形態において、アクチュエータは、データ処理ユニットと通信状態にあるモーターまたはサーボを含む。また更なる実施形態において、アクチュエータは、ステッピングモーターを含む。また更なる実施形態において、データ処理ユニットは、開位置と閉位置とを調節するためにモーターまたはサーボを制御するように構成される。いくつかの実施形態において、アクチュエータは、開位置と閉位置との間でユーザーが抽出キャニスターを手動で調節することを可能にするために、内部キャニスターに繋げられたレバーを含む。いくつかの実施形態において、抽出キャニスターは更に、抽出チャンバ中の流体の温度を検出するために、温度センサーと通信するためのコネクターを含む。更なる実施形態において、データ処理ユニットは、温度センサーから温度データを受信するように構成される。いくつかの実施形態において、抽出キャニスターは更に、加熱ユニットと通信するためのコネクターを含む。更なる実施形態において、データ処理ユニットは、加熱ユニットの動作を制御するように構成される。いくつかの実施形態において、抽出キャニスターは更に、冷却ユニットと通信するためのコネクターを含む。更なる実施形態において、データ処理ユニットは、冷却ユニットの動作を制御するように構成される。いくつかの実施形態において、内部キャニスター、外部キャニスター、または内部キャニスターと外部キャニスターの両方の少なくとも１つの開口部は、１セットの穿孔部を含む。更なる実施形態において、穿孔部の直径は、１マイクロメートル〜０．５ミリメートルである。他の実施形態において、穿孔部の直径は、１０マイクロメートル〜１．５ミリメートルである。いくつかの実施形態において、アクチュエータは、開位置と閉位置とを調節するために内部キャニスターを１度〜１８０度回転させる。更なる実施形態において、アクチュエータは、開位置と閉位置とを調節するために内部キャニスターを約９０度回転させる。
【０００６】
別の態様において、本明細書には、携帯用飲料抽出装置が開示され、該装置は：一端で開口し、且つ、流体を含むように構成された内部チャンバを形成する容器本体；および、内部のチャンバに位置付けられる抽出キャニスターを含み、該抽出キャニスターは：少なくとも１つの開口部を含む内部キャニスター；少なくとも１つの開口部を含む外部キャニスターを含み；内部キャニスターは、抽出チャンバを形成するために外部キャニスター内に位置し；内部キャニスター、外部キャニスター、またはその両方は、内部キャニスターの少なくとも１つの開口部および外部キャニスターの少なくとも１つの開口部が、開位置で位置合わせを行い、または閉位置で位置合わせを行わないように回転可能であり；および、前記抽出キャニスターは、流体が、開位置にある時は抽出チャンバに流入およびそこから流出することができる、且つ閉位置にある時は抽出チャンバに流入およびそこから流出することができないように、開位置と閉位置とを調節するために、内部キャニスター、外部キャニスター、またはその両方を回転させるように動作可能なアクチュエータを含み；前記装置は、抽出チャンバに抽出材料を含み、且つ抽出材料を抽出するために内部チャンバと抽出チャンバとの間の流体流を調整するように動作可能である。いくつかの実施形態において、装置は更にデータ処理ユニットを含み、データ処理ユニットは、データを処理するためのプロセッサ、およびデータを記憶またはバッファリングするためのメモリを含む。いくつかの実施形態において、装置は更に加熱ユニットを含み、データ処理ユニットは、流体を加熱するための加熱ユニットの動作を制御するために、加熱ユニットと通信状態にある。更なる実施形態において、加熱ユニットはペルチェ装置を含む。いくつかの実施形態において、装置は更に、内部チャンバ中の流体の温度を検出するための温度センサーを含む。更なる実施形態において、データ処理ユニットは、温度センサーから温度データを受信し、且つ、検出された温度に基づいて流体の温度を調整するように構成される。いくつかの実施形態において、アクチュエータは、データ処理ユニットと通信状態にあるモーターまたはサーボを含む。更なる実施形態において、アクチュエータは、ステッピングモーターを含む。更なる実施形態において、データ処理ユニットは、開位置と閉位置との間で抽出キャニスターを調節するためにモーターまたはサーボを制御するように構成される。いくつかの実施形態において、装置は更に、容器本体の外部上にあり且つデータ処理ユニットと通信状態にあるディスプレイを含み、ここで、ディスプレイは、流体の温度、抽出プロセスの段階、抽出プロセスの残り時間、抽出プロセスの経過時間、またはそれらの組み合わせを表示するように構成される。更なる実施形態において、ディスプレイはタッチスクリーンディスプレイである。いくつかの実施形態において、抽出キャニスターは、抽出材料を含むように内部キャニスターに可逆的に取り付け可能なキャップを含む。いくつかの実施形態において、装置は更に、開口部を覆うための可逆的に取り付け可能な蓋を含み、該蓋は、蓋が容器本体に付けられる時に流体が内部チャンバから流れることを可能にするためのアパーチャーおよびアパーチャーカバーを含む。いくつかの実施形態において、装置は更に、容器本体に可逆的に取り付け可能なハウジングコンパートメントを含み、該ハウジングコンパートメントは中に品物を保存するための中空内部領域を含んでいる。いくつかの実施形態において、アクチュエータは、開位置と閉位置との間でユーザーが抽出キャニスターを手動で調節することを可能にするために、内部キャニスターに繋げられたレバー、および容器本体の外部上にノブを含む。いくつかの実施形態において、装置は更に冷却ユニットを含み、データ処理ユニットは、流体を冷却するための冷却ユニットの動作を制御するために、冷却ユニットと通信状態にある。更なる実施形態において、冷却ユニットは、強制対流を生成するためのスピニング装置（ｓｐｉｎｎｉｎｇ  ａｐｐａｒａｔｕｓ）を含む。更なる実施形態において、冷却ユニットはペルチェ装置を含む。
【０００７】
別の態様において、本明細書には、飲料抽出装置の抽出キャニスターを作動させる方法が開示され、該抽出キャニスターは：少なくとも１つの開口部を含む内部キャニスター、および少なくとも１つの開口部を含む外部キャニスターを含み；内部キャニスターは、外部キャニスター内に位置し、且つ抽出チャンバを形成するために外部キャニスターと共通の回転軸を有しており；内部キャニスター、外部キャニスター、またはその両方は、内部キャニスターの少なくとも１つの開口部および外部キャニスターの少なくとも１つの開口部が、開位置で位置合わせを行い、または閉位置で位置合わせを行わないように回転可能であり、前記方法は；抽出キャニスターの外部にある流体の温度を検出する工程；および、流体の温度に応じてアクチュエータを作動させる工程を含み、アクチュエータは、抽出キャニスターの外部にある流体が、開位置にある時は抽出チャンバに流入およびそこから流出することができるように、且つ閉位置にある時は抽出チャンバに流入およびそこから流出することができないように、開位置と閉位置とを調節するために、内部キャニスター、外部キャニスター、またはその両方を回転させるように構成され；但し、抽出キャニスターは、抽出チャンバに抽出材料を含むように構成され、アクチュエータの動作は、抽出材料を抽出するために抽出チャンバに流入およびそこから流出する流体流を調整するものとする。いくつかの実施形態において、アクチュエータの動作は、データを処理するためのプロセッサおよびデータを記憶またはバッファリングするためのメモリを含む、データ処理ユニットにより実行され、ここで、データ処理ユニットは、抽出キャニスターの動作を制御するためにアクチュエータと通信状態にある。更なる実施形態において、アクチュエータは、データ処理ユニットと通信状態にあるモーターまたはサーボを含む。また更なる実施形態において、データ処理ユニットは、開位置と閉位置とを調節するためにモーターまたはサーボを制御するように構成される。いくつかの実施形態において、流体の温度の検出は、データを処理するためのプロセッサおよびデータを記憶またはバッファするためのメモリを含む、データ処理ユニットにより実行され、ここで、データ処理ユニットは、温度センサーと通信状態にある。更なる実施形態において、データ処理ユニットは、温度センサーから温度データを受信するように構成される。いくつかの実施形態において、アクチュエータの動作は更に、予め構成された抽出開始時間に応じてデータ処理ユニットにより実行される。いくつかの実施形態において、内部キャニスター、外部キャニスター、または内部キャニスターと外部キャニスターの両方の少なくとも１つの開口部は、１セットの穿孔部を含む。更なる実施形態において、穿孔部の直径は、１マイクロメートル〜０．５ミリメートルである。他の実施形態において、穿孔部の直径は、１０マイクロメートル〜１．５ミリメートルである。いくつかの実施形態において、アクチュエータを作動させる工程は、開位置と閉位置とを調節するために内部キャニスターを１度〜１８０度回転させることを含む。更なる実施形態において、アクチュエータを作動させる工程は、開位置と閉位置とを調節するために内部キャニスターを約９０度回転させることを含む。いくつかの実施形態において、方法は更に、流体を抽出温度にまで加熱する工程を含む。更なる実施形態において、流体を加熱する工程は、データを処理するためのプロセッサおよびデータを記憶またはバッファリングするためのメモリを含む、データ処理ユニットにより実行され、ここで、データ処理ユニットは、加熱ユニットと通信状態にある。また更なる実施形態において、データ処理ユニットは、流体を加熱するための加熱ユニットの動作を制御するために、加熱ユニットと通信状態にある。いくつかの実施形態において、方法は更に、流体を飲用温度にまで冷却する工程を含む。更なる実施形態において、流体を冷却する工程は、データを処理するためのプロセッサおよびデータを記憶またはバッファリングするためのメモリを含む、データ処理ユニットにより実行され、ここで、データ処理ユニットは、冷却ユニットと通信状態にある。また更なる実施形態において、データ処理ユニットは、流体を冷却するための冷却ユニットの動作を制御するために、冷却ユニットと通信状態にある。
【０００８】
別の態様において、本明細書には、抽出装置で飲料を抽出する方法が開示され、該方法は：抽出装置の抽出キャニスターに抽出材料を詰める工程を含み、該抽出キャニスターは：少なくとも１つの開口部を含む内部キャニスター、および少なくとも１つの開口部を含む外部キャニスターを含み；内部キャニスターは、外部キャニスター内に位置し、且つ、抽出材料を含むように構成された抽出チャンバを形成するために外部キャニスターと共通の回転軸を有しており；内部キャニスター、外部キャニスター、またはその両方は、内部キャニスターの少なくとも１つの開口部および外部キャニスターの少なくとも１つの開口部が、開位置で位置合わせを行い、または閉位置で位置合わせを行わないように回転可能であり；および、前記抽出キャニスターは、抽出キャニスターの外部にある流体が、開位置にある時は抽出チャンバに流入およびそこから流出することができるように、且つ閉位置にある時は抽出チャンバに流入およびそこから流出することができないように、開位置と閉位置とを調節するために、内部キャニスター、外部キャニスター、またはその両方を回転させるように構成されたアクチュエータを含み；前記方法は更に、抽出材料を抽出するための抽出チャンバに流入およびそこから流出する流体流を調整するためにアクチュエータを作動させるように実行可能な抽出プロトコルを提供する工程を含む。いくつかの実施形態において、抽出装置は、データを処理するためのプロセッサおよびデータを記憶またはバッファリングためのメモリを含む、データ処理ユニットを含んでおり、ここで、データ処理ユニットは、アクチュエータの動作を制御するためにアクチュエータと通信状態にあり、データ処理ユニットは抽出プロトコルを実行する。いくつかの実施形態において、抽出プロトコルは、流体を抽出温度にまで加熱する工程を含む。更なる実施形態において、流体を加熱する工程は加熱ユニットにより行われ、データ処理ユニットは、流体を加熱するための加熱ユニットの動作を制御するために、加熱ユニットと通信状態にある。いくつかの実施形態において、抽出プロトコルは、流体を飲用温度にまで冷却する工程を含む。更なる実施形態において、流体を冷却する工程は冷却ユニットにより行われ、データ処理ユニットは、流体を冷却するための冷却ユニットの動作を制御するために、冷却ユニットと通信状態にある。
【０００９】
別の態様において、本明細書には、携帯用飲料抽出プラットフォームが開示され、該携帯用飲料抽出プラットフォームは：携帯用飲料抽出装置を含み、該携帯用飲料抽出装置は：一端で開口し、且つ、流体を含むように構成された内部チャンバを形成する容器本体；内部のチャンバに位置付けられる抽出キャニスターを含み、該抽出キャニスターは：少なくとも１つの開口部を含む内部キャニスター、および少なくとも１つの開口部を含む外部キャニスターを含み；内部キャニスターは、外部キャニスター内に位置し、且つ、抽出材料を含むように構成された抽出チャンバを形成するために外部キャニスターと共通の回転軸を有しており；内部キャニスター、外部キャニスター、またはその両方は、内部キャニスターの少なくとも１つの開口部および外部キャニスターの少なくとも１つの開口部が、開位置で位置合わせを行い、または閉位置で位置合わせを行わないように回転可能であり；および、前記抽出キャニスターは、内部チャンバにある流体が、開位置にある時は抽出チャンバに流入およびそこから流出することができるように、且つ閉位置にある時は抽出チャンバに流入およびそこから流出することができないように、開位置と閉位置とを調節するために、内部キャニスター、外部キャニスター、またはその両方を回転させるように構成されたアクチュエータを含み；前記携帯用飲料抽出プラットフォームは、携帯用消費者向け飲料抽出アプリケーションを提供するように構成されたモバイルプロセッサを含み、該携帯用消費者向け飲料抽出アプリケーションは：ユーザーが予め構成された抽出プロトコルを選択するまたはカスタム抽出プロトコルを構成することを可能にするユーザーインターフェースを提示するソフトウェアモジュールであって、抽出プロトコルはそれぞれ抽出温度と抽出時間を含む、ソフトウェアモジュール；および、抽出材料を抽出するための抽出チャンバへの流体流を調整するために、携帯用飲料抽出装置に、選択された予め構成された抽出プロトコルまたは消費者により構成されたカスタム抽出プロトコルを無線で送信する、ソフトウェアモジュールを含む。いくつかの実施形態において、携帯用飲料抽出装置は更にデータ処理ユニットを含み、データ処理ユニットは、データを処理するためのプロセッサ、およびデータを記憶またはバッファリングするためのメモリを含む。更なる実施形態において、携帯用飲料抽出装置は更に加熱ユニットを含み、データ処理ユニットは、流体を加熱するための加熱ユニットの動作を制御するために、加熱ユニットと通信状態にある。また更なる実施形態において、加熱ユニットはペルチェ装置を含む。いくつかの実施形態において、携帯用飲料抽出装置は更に、内部チャンバ中の流体の温度を検出するための温度センサーを含む。更なる実施形態において、データ処理ユニットは、温度センサーから温度データを受信し、且つ、検出された温度に基づいて流体の温度を調整するように構成される。いくつかの実施形態において、アクチュエータは、データ処理ユニットと通信状態にあるモーターまたはサーボを含む。更なる実施形態において、アクチュエータは、ステッピングモーターを含む。更なる実施形態において、データ処理ユニットは、開位置と閉位置との間で抽出キャニスターを調節するためにモーターまたはサーボを制御するように構成される。いくつかの実施形態において、携帯用飲料抽出装置は更に、容器本体の外部上にあり且つデータ処理ユニットと通信状態にあるディスプレイを含み、ここで、ディスプレイは、流体の温度、抽出プロセスの段階、抽出プロセスの残り時間、抽出プロセスの経過時間、またはそれらの組み合わせを表示するように構成される。更なる実施形態において、ディスプレイはタッチスクリーンディスプレイである。いくつかの実施形態において、抽出キャニスターは、抽出材料を含むように内部キャニスターに可逆的に取り付け可能なキャップを含む。いくつかの実施形態において、携帯用飲料抽出装置は更に、開口部を覆うための可逆的に取り付け可能な蓋を含み、該蓋は、蓋が容器本体に付けられる時に流体が内部キャニスターから流れることを可能にするためのアパーチャーおよびアパーチャーカバーを含む。いくつかの実施形態において、携帯用飲料抽出装置は更に、容器本体に可逆的に取り付け可能なハウジングコンパートメントを含み、該ハウジングコンパートは中に品物を保管するための中空内部領域を含んでいる。いくつかの実施形態において、アクチュエータは、開位置と閉位置との間でユーザーが抽出キャニスターを手動で起動させることを可能にするために、内部キャニスターに繋げられたレバー、および容器本体の外部上にノブを含む。いくつかの実施形態において、携帯用飲料抽出装置は更に冷却ユニットを含み、データ処理ユニットは、流体を冷却するための冷却ユニットの動作を制御するために、冷却ユニットと通信状態にある。更なる実施形態において、冷却ユニットは、流体に渦を作り出し強制対流を生成するためのスピニング装置を含む。更なる実施形態において、冷却ユニットはペルチェ装置を含む。いくつかの実施形態において、各抽出プロトコルは更に、飲用温度を含む。いくつかの実施形態において、各抽出プロトコルは更に、抽出シーケンスが開始される時のプロトコル実行速度を含む。いくつかの実施形態において、携帯用飲料抽出装置は更に、内部チャンバへの材料の制御された放出のために少なくとも１つのリザーバーを含む。更なる実施形態において、各抽出プロトコルは更に、追加の材料が分注される時の、分注される追加の材料の識別を含む。いくつかの実施形態において、携帯用飲料抽出装置は更に、流体を撹拌するように構成された内部チャンバにスピニング装置を含む。更なる実施形態において、各抽出プロトコルは更に、スピニング装置が起動された時の、スピニング装置の速度、およびスピニング装置が作動する時間の長さを含む。いくつかの実施形態において、複数の予め構成された抽出プロトコルは、茶、薄いコーヒー、および濃いコーヒーのために予め構成された抽出プロトコルを含む。いくつかの実施形態において、アプリケーションは更に、選択された予め構成された抽出プロトコルまたは消費者により構成されたカスタム抽出プロトコルの開始時間の予定を消費者が立てることを可能にするユーザーインターフェースを提示する、ソフトウェアモジュールを含む。更なる実施形態において、開始時間は繰返しの（ｒｅｃｕｒｒｉｎｇ）開始時間である。
【００１０】
別の態様において、本明細書には、コンピュータ実装システムが開示され、該システムは：デジタル処理装置を含み、該デジタル処理装置は、少なくとも１つのプロセッサ、実行可能命令を行なうように構成されたオペレーティングシステム、メモリ、および、消費者向け飲料抽出アプリケーションを作成するためにデジタル処理装置により実行可能な命令を含むコンピュータプログラムを含み、前記アプリケーションは：消費者が複数の予め構成された抽出プロトコルから１つの予め構成された抽出プロトコルを選択することを可能にするユーザーインターフェースを提示するソフトウェアモジュールであって、予め構成された抽出プロトコルはそれぞれ抽出温度と抽出時間を含む、ソフトウェアモジュール；消費者がカスタム抽出プロトコルを構成するのを可能にするユーザーインターフェースを提示するソフトウェアモジュールであって、該ユーザーインターフェースは抽出温度および抽出時間に関する値を消費者が入力するための要素を含む、ソフトウェアモジュール；および、携帯用飲料抽出装置に、選択された予め構成された抽出プロトコルまたは消費者により構成されたカスタム抽出プロトコルを無線で送信するソフトウェアモジュールを含み；但し、送信された抽出プロトコルは、携帯用飲料抽出装置を作動させるのに有効であるものとする。いくつかの実施形態において、複数の予め構成された抽出プロトコルは、茶、薄いコーヒー、および濃いコーヒーのために予め構成された抽出プロトコルを含む。いくつかの実施形態において、消費者がカスタム抽出プロトコルを構成するのを可能にするユーザーインターフェースを提示するソフトウェアモジュールは、飲用温度に関する値を消費者が入力するための要素を含む。いくつかの実施形態において、消費者がカスタム抽出プロトコルを構成するのを可能にするユーザーインターフェースを提示するソフトウェアモジュールは、抽出シーケンスが開始された時のプロトコル実行速度に関する値を消費者が入力するための要素を含む。いくつかの形態において、消費者がカスタム抽出プロトコルを構成するのを可能にするユーザーインターフェースを提示するソフトウェアモジュールは、追加の材料が分注される時の分注される追加の材料の識別に関する値を消費者が入力するための要素を含む。いくつかの実施形態において、消費者がカスタム抽出プロトコルを構成するのを可能にするユーザーインターフェースを提示するソフトウェアモジュールは、スピニング装置が起動される時の、スピニング装置の速度、およびスピニング装置が作動する時間の長さに関する値を消費者が入力するための要素を含む。いくつかの実施形態において、アプリケーションは更に、選択された予め構成された抽出プロトコルまたは消費者により構成されたカスタム抽出プロトコルの開始時間の予定を消費者が立てることを可能にするユーザーインターフェースを提示する、ソフトウェアモジュールを含む。更なる実施形態において、開始時間は繰返しの開始時間である。
【００１１】
別の態様において、本明細書には、消費者向け飲料抽出アプリケーションを作成するために、プロセッサによって実行可能な命令を含むコンピュータプログラムでコード化される、非一時的コンピュータ可読記憶媒体が開示され、前記消費者向け飲料抽出アプリケーションは：ユーザーが複数の予め構成された抽出プロトコルから１つの予め構成された抽出プロトコルを選択するのを可能にするユーザーインターフェースを提示するソフトウェアモジュールであって、抽出プロトコルはそれぞれ抽出温度と抽出時間を含む、ソフトウェアモジュール；消費者がカスタム抽出プロトコルを構成するのを可能にするユーザーインターフェースを提示するソフトウェアモジュールであって、該ユーザーインターフェースは抽出温度および抽出時間に関する値を消費者が入力するための要素を含む、ソフトウェアモジュール；および、携帯用飲料抽出装置に、選択された予め構成された抽出プロトコルまたは消費者により構成されたカスタム抽出プロトコルを無線で送信するソフトウェアモジュールを含み；但し、送信された抽出プロトコルは、携帯用飲料抽出装置を作動させるのに有効であるものとする。いくつかの実施形態において、複数の予め構成された抽出プロトコルは、茶、薄いコーヒー、および濃いコーヒーのために予め構成された抽出プロトコルを含む。いくつかの実施形態において、消費者がカスタム抽出プロトコルを構成するのを可能にするユーザーインターフェースを提示するソフトウェアモジュールは、飲用温度に関する値を消費者が入力するための要素を含む。いくつかの実施形態において、消費者がカスタム抽出プロトコルを構成するのを可能にするユーザーインターフェースを提示するソフトウェアモジュールは、抽出シーケンスが開始された時のプロトコル実行速度に関する値を消費者が入力するための要素を含む。いくつかの形態において、消費者がカスタム抽出プロトコルを構成するのを可能にするユーザーインターフェースを提示するソフトウェアモジュールは、追加の材料が分注される時の分注される追加の材料の識別に関する値を消費者が入力するための要素を含む。いくつかの実施形態において、消費者がカスタム抽出プロトコルを構成するのを可能にするユーザーインターフェースを提示するソフトウェアモジュールは、スピニング装置が起動される時の、スピニング装置の速度、およびスピニング装置が作動する時間の長さに関する値を消費者が入力するための要素を含む。いくつかの実施形態において、アプリケーションは更に、選択された予め構成された抽出プロトコルまたは消費者により構成されたカスタム抽出プロトコルの開始時間の予定を消費者が立てることを可能にするユーザーインターフェースを提示する、ソフトウェアモジュールを含む。更なる実施形態において、開始時間は繰返しの開始時間である。
【００１２】
また別の態様において、本明細書には、飲料を抽出するための装置が開示され、該装置は、流体を含むように容器本体の内部にある内部チャンバへの開口部を一端に含むように構築された容器本体；内部チャンバにあり且つ各々開口部を含む内部キャニスターと外部キャニスターとを含むように構築された、抽出キャニスターであって、内部キャニスターと外部キャニスターは、開口部が抽出キャニスターの開位置において位置合わせを行い、または抽出キャニスターの閉位置において位置合わせを行わないように回転するよう操作可能である、抽出キャニスター；内部チャンバへと熱を生成する加熱ユニット；および、開位置と閉位置へと内部キャニスターおよび外部キャニスターの１つまたは両方を回転させるアクチュエータであって、それにより、流体が内部チャンバに含まれる時、流体は開位置にある時に抽出キャニスターの中と外を流れることが可能となり、且つ、閉位置にある時に抽出キャニスターに流入およびそこから流出することができなくなり、前記装置は、固形物質を抽出するために、抽出キャニスターに固形物質を保存し、流体流を制御するように動作可能である、アクチュエータを含む。
【００１３】
また別の態様において、本明細書には、飲料を抽出するための装置が開示され、該装置は、流体を含むように容器本体の内部にある内部チャンバへの開口部を一端に含むように構築された容器本体；内部チャンバにあり且つ各々開口部を含む内部キャニスターと外部キャニスターとを含むように構築された抽出キャニスターであって、内部キャニスターと外部キャニスターは、開口部が抽出キャニスターの開位置において位置合わせを行い、または抽出キャニスターの閉位置において位置合わせを行わないように回転するよう操作可能である、抽出キャニスター；内部チャンバへと熱を生成する加熱ユニット；内部チャンバの流体を冷却するための冷却ユニット；および、開位置と閉位置へと内部キャニスターおよび外部キャニスターの１つまたは両方を回転させるアクチュエータであって、それにより、流体が内部チャンバに含まれる時、流体は開位置にある時に抽出キャニスターの中と外を流れることが可能となり、且つ、閉位置にある時に抽出キャニスターに流入およびそこから流出することができなくなり、前記装置は、固形物質を抽出するために、抽出キャニスターに固形物質を保存し、流体流を制御するように動作可能である、アクチュエータを含む。
【００１４】
また別の態様において、本明細書には、携帯用飲料抽出装置が開示され、該携帯用飲料抽出装置は：一端で開口し、且つ、流体を含むように構成された内部チャンバを形成する容器本体；データ処理ユニット；流体を加熱するためにデータ処理ユニットと通信状態にある加熱ユニット；データ処理ユニットと通信状態にある内部チャンバにあり、且つ、流体を撹拌し、流体を冷却し、または流体の撹拌と冷却の両方を行うように構成される、スピニング装置；および、内部のチャンバに位置付けられる抽出キャニスターを含み、該抽出キャニスターは：少なくとも１つの開口部を含む内部キャニスター；少なくとも１つの開口部を含む外部キャニスター；内部キャニスターは、抽出チャンバを形成するために外部キャニスター内に位置し；内部キャニスター、外部キャニスター、またはその両方は、内部キャニスターの少なくとも１つの開口部および外部キャニスターの少なくとも１つの開口部が、開位置で位置合わせを行い、または閉位置で位置合わせを行わないように回転可能であり；および、前記抽出キャニスターはアクチュエータを含み、該アクチュエータを含みは、データ処理ユニットと通信状態にあり、および、流体が、開位置にある時は抽出チャンバに流入およびそこから流出することができる、且つ閉位置にある時は抽出チャンバに流入およびそこから流出することができないように、開位置と閉位置とを調節するために、内部キャニスター、外部キャニスター、またはその両方を回転させるように動作可能であり；前記装置は、抽出チャンバに抽出材料を含み、且つ抽出材料を抽出するために内部チャンバと抽出チャンバとの間の流体流を調整するように動作可能である。いくつかの実施形態において、携帯用飲料抽出装置は更に、流体を冷却するためにデータ処理ユニットと通信状態にある冷却ユニットを含む。いくつかの実施形態において、携帯用飲料抽出装置は更に、データ処理ユニットと通信状態にある、容器本体の外部上にディスプレイを含む。更なる実施形態において、ディスプレイはタッチスクリーンディスプレイである。いくつかの実施形態において、携帯用飲料抽出装置は更に、内部チャンバへの材料の制御された放出のために、データ処理ユニットと通信状態にある少なくとも１つのリザーバーを含む。更なる実施形態において、材料の放出は、データ処理ユニットと通信状態にあるバルブまたはソレノイドにより制御される。
【００１５】
本明細書に記載される主題は、本明細書に記載される機能の１以上を提供する特定の方法で随意に実施される。一例として、開示された携帯用抽出技術は、ユーザーが水と抽出材料を加えて別々に保存し、且つ、茶、コーヒー、または他の抽出材料の抽出をいつでも且ついかなる場所でも開始することを可能にする。開示された携帯用抽出技術は、ユーザーに都合が良く、携帯用の、長持ちする装置において飲料（例えば茶、コーヒーなど）を抽出するために、特殊な容器、加熱、冷却、および密封を使用した、流体（例えば水など）の流れの制御を提供する。重要なことに、本明細書に開示される携帯用抽出技術は、抽出が始まる時間を制御するために流体と抽出材料を別々に保存するが、これは、携帯用抽出技術を利用して携帯性を促進しおよび／または抽出装置のサイズを縮小するために、空間効率の良い方法で行われる。このことは、容器に抽出材料を保存することにより達成され、前記容器は、水が最初に流れることができない流体に沈められるが、容器の構成要素の移動を制御することにより（例えば、容器の中／外の流体の制御された流れを介して）流体と抽出材料との接触を正確に制御するものである。更なる例として、飲料を抽出するために、ユーザーは、例えばボタンを押すことにより、飲料の加熱と抽出を始めるように抽出シーケンスを単純に始動させることができる。いくつかの実施において、ユーザーは更に、飲料を冷却するためのシーケンスを始動させる。また更なる例として、いくつかの実施形態において、携帯用抽出装置は、抽出された飲料の現在の温度、またはプログラムされた飲用温度をユーザーへと随意に知らせる外部ディスプレイなどの安全装置を含む。
【図面の簡単な説明】
【００１６】
【図１Ａ】開示された技術に従う、典型的な携帯用抽出装置の例示的な概略図を示す。
【図１Ｂ】典型的な携帯用抽出装置の典型的なデータ処理ユニットのブロック図を示す。
【図２Ａ】典型的な携帯用抽出装置の典型的な抽出キャニスターの例示的な略図を示す。
【図２Ｂ】典型的な携帯用抽出装置の典型的な抽出キャニスターの例示的な略図を示す。
【図３】典型的な携帯用抽出装置の典型的な抽出キャニスターの例示的な略図を示す。
【図４】典型的な携帯用抽出装置の典型的な抽出キャニスターの例示的な略図を示す。
【図５Ａ】開示された技術に従う、典型的な携帯用抽出装置の例示的な略図を示す。
【図５Ｂ】開示された技術に従う、典型的な携帯用抽出装置の例示的な略図を示す。
【図６】ユーザーが装置の動作を制御するためのディスプレイおよび制御パネルを含む、典型的な携帯用抽出装置の典型的な実施形態の略図を示す。
【図７Ａ】開示された技術に従う、典型的な携帯用抽出装置の例示的な概略図を示す。
【図７Ｂ】図７Ａに示される典型的な携帯用抽出装置の蓋の例示的な概略図を示す。
【図８】複数供給機構を含む典型的な携帯用抽出装置の典型的な抽出キャニスターの例示的な略図を示す。
【図９Ａ】開示された技術に従う、典型的な携帯用抽出装置の例示的な概略図を示す。
【図９Ｂ】開示された技術に従う、典型的な携帯用抽出装置の例示的な概略図を示す。
【図１０Ａ】開示された技術に従う、ソフトウェアアプリケーション（ａｐｐ）のユーザーインターフェースディスプレイの例を示す。
【図１０Ｂ】開示された技術に従う、ソフトウェアアプリケーション（ａｐｐ）のユーザーインターフェースディスプレイの例を示す。
【図１０Ｃ】開示された技術に従う、ソフトウェアアプリケーション（ａｐｐ）のユーザーインターフェースディスプレイの例を示す。
【図１１Ａ】開示された技術に従う、携帯用抽出装置の特殊な蓋の実施形態の一例の、例示的な概略図を示す。
【図１１Ｂ】開示された技術に従う、携帯用抽出装置の特殊な蓋の実施形態の一例の、例示的な概略図を示す。
【図１２】現在の技術に従う、砂糖およびミルクのような物質を保存することができ、且つ携帯用抽出装置の様々な実施形態に取り付け可能である蓋の実施形態の一例の、例示的な概略図を示す。
【図１３Ａ】抽出プロトコルを制御するために携帯用抽出装置へと抽出命令を送る、ユーザーのスマートフォン上で作動するａｐｐの典型的な例を示す。
【図１３Ｂ】抽出供給プラットフォームサーバーが、本明細書に記載される消費者向け抽出アプリケーションと通信状態にあり、且つ、コーヒーまたは茶の供給業者のものなど第三者サーバーと随意に通信状態にある、典型的なクラウドベースのシステムを示す。
【図１４】回転機構に接続する抽出キャニスターの実施形態の一例の、例示的な概略図を示す。
【図１５】モーターに接続する抽出キャニスターの実施形態の一例の、例示的な概略図を示す。
【図１６】回転機構に接続する抽出キャニスターの実施形態の一例の、例示的な概略図を示す。
【図１７】モーターに接続する抽出キャニスターの実施形態の一例の、例示的な概略図を示す。
【図１８Ａ】特定用途のための抽出キャニスターのバリエーションの実施形態の一例の、例示的な概略図を示す。
【図１８Ｂ】特定用途のための抽出キャニスターのバリエーションの実施形態の一例の、例示的な概略図を示す。
【図１９】異なるユーザーが、飲料のタイプ、温度、抽出時間、および他の要因に基づいて変動し得る可溶物（ｓｏｕｌｂｌｅ）の実収率から、抽出材料のための抽出の最適なバランスを獲得できる方法の、例示的な略図を示す。
【発明を実施するための形態】
【００１７】
茶とコーヒーは、実際にあらゆる場所で楽しまれる飲料である。しかし、調製要因により、茶またはコーヒーは、どこででも単純に消費できるものではない。典型的に、茶またはコーヒーを飲む人は、抽出に必要とされる湯へのアクセスの欠如により、自分の家または職場で飲料を作ることを制限されており、レストラン、カフェ、または他の場所から飲料を購入する。また、茶とコーヒーは通常、抽出に数分の時間を必要とし、故に、「出先で」茶またはコーヒーを飲みたい時に調製を複雑にしかねない。例えば、茶の調製は、水の加熱、茶の抽出（例えば、茶の「濃さ」を制御するために）、および茶の運搬といった複数の工程を含み得、その何れも、茶を飲む人に出発の遅れを生じさせ（例えば、水を熱している間）、且つ混乱を生じさせる。コーヒーの調製は、同様の複雑さを伴う同様の工程を含み得、例えば、水を加熱する工程、コーヒーを抽出する工程（例えば、粉砕物が抽出されたコーヒー飲料に入るのを防ぎつつ、コーヒーの「濃さ」を制御するために）、および、飲むのに適切な状態（例えば典型的に、抽出温度ほど熱くない）でコーヒーを運ぶ工程を含む。
【００１８】
理想的な１杯のコーヒー、茶、または他の飲料を抽出するために、水の温度は、特定のタイプのコーヒー、茶、または他の飲料の適当な抽出条件に対応する、特定の温度で調整されねばならない。水の温度は、飲料への抽出材料の抽出に影響を及ぼし、故に抽出の温度に基づき異なる味がすることになる。それ故、例えば、ユーザーが抽出する特定のタイプの茶またはコーヒーに関連した、ユーザーが選択する温度設定に基づいて、ユーザーにより水の温度の設定を制御することが、有益である。
【００１９】
理想的な１杯のコーヒー、茶、または他の飲料を調製する別の要因は、例えば、水中の化合物の抽出または拡散の所望のレベルを得るために特定のタイプの抽出材料に依存して、特定の時間にわたり飲料を抽出することを含む。抽出時間の正確な制御が無いと、例えば、抽出プロセスは、過剰な抽出を引き起こしかねず、飲料は苦くなる、または望まれない味を持つ場合もある。それ故、抽出が例えば特定温度で生じ、且つ、ユーザーが抽出する特定のタイプの茶またはコーヒーに関連した抽出時間の設定をユーザーが選択することができるようにユーザーにより定めることが可能な時間の量を制御することが、有益である。
【００２０】
理想的な１杯のコーヒー、茶、または他の飲料を調製する別の要因は、抽出段階中に抽出材料と接触する時の流体（例えば水）の移動または流れを含む。例えば、抽出中の水の流れは、抽出材料からの化合物が抽出される速度に影響を及ぼし、それ故、抽出飲料の全体的な組成と品質に影響を及ぼす。故に、抽出材料のタイプ（例えば、茶、コーヒーなどのタイプ）、およびユーザーの飲料の嗜好性（例えば、茶、コーヒーなどの「濃さ」）に基づいて、より高度な抽出の制御を提供し、且つ、ユーザーが流体流を調整するのを可能にするために、抽出中に流体の流れまたは移動を制御することが、有益である。
【００２１】
特に「出先で」理想的な１杯のコーヒー、茶、または他の飲料を調製する、また別の要因は、抽出後の飲料の温度である。典型的に、抽出温度および個人の飲用温度が頻繁に異なるため、飲料は、抽出直後では熱すぎて飲めない。その結果、飲む人は最終的に自分の舌に火傷を負いかねない。それ故、飲料の温度を知らせる通知システムを備えることが、有益である。更に、個人の理想的な飲用温度にまで抽出飲料を冷却するための機構を提供することも、有益である。
【００２２】
「出先で」理想的な１杯のコーヒー、茶、または他の飲料を調製する、また別の重要な要因は、複雑な機能性を提供しつつ携帯性を保つことを要求される空間効率を達成することである。典型的に、従来の抽出装置およびシステムは、少なくとも２つの空間的に別個のコンパートメント（即ち、抽出プロセスが始まる前に、一方は流体を保存するためのもの、他方は抽出材料を保存するためのもの）を必要とする。従来の抽出装置およびシステムにおける、そのような非効率的な空間は、抽出の構成要素およびアセンブリのサイズ、設置面積（ｆｏｏｔｐｒｉｎｔ）、体積、および／または重量に関して、有用性および美的な設計を制限してしまう。それ故、同じ全体積内で、流体と抽出材料を別々に保存し、且つそれらの抽出を制御して、空間効率をもたらしつつ、抽出条件（例えば、開始時間、持続時間など）の制御を提供することが可能な抽出アセンブリを備えることが、有益である。
【００２３】
「出先で」理想的な１杯のコーヒー、茶、または他の飲料を調製する、また別の重要な要因は、温度制御である。典型的に、飲む人は、抽出されたばかりの飲料の温度には気づかず、飲料が所望の温度であるまたは飲むことが可能な温度であるかどうかを判断するために、飲料を試飲しなければならない場合もある。ただユーザーに警告するだけでなく、抽出飲料を安全に飲むことができる時間、および／または、例えば流体の消毒により引き起こされる、飲料を飲む際に危険があるかどうかを認識するために、ユーザーに特異的な情報を表示する有効なユーザーインターフェースを提供することが、有益である。更に、抽出飲料に安全な飲用温度および／または所望の飲用温度をもたらす冷却要素を提供することも、有益である。
【００２４】
抽出中および抽出後に温度と拡散を調整するために、携帯用容器において茶、コーヒー、または他の飲料を持ち運び可能な状態で抽出するための方法、システム、装置、プラットフォーム、機構、および媒体が、開示される。開示された技術は、ユーザーが所望の「完全な１杯」を飲むことを可能にする、抽出温度、抽出時間、および理想的な飲用温度を含む、ユーザーの理想的なパラメータを制御することができる。例えば、本件技術は、ユーザーが出先にいる間、茶、コーヒー、および他の熱いまたは冷たい抽出飲料を調製且つ消費することを可能にする。更に、例えば、本明細書に開示される携帯用抽出技術は、どのような条件下でも抽出が始まる時間を制御するために、流体と抽出材料を保存するが、これは空間効率の良い様式で行われる。流体に沈められるが、流体と抽出材料との接触を正確に制御する、開示された技術に従う容器に抽出材料を保存することにより、２つの空間的に別個のコンパートメント（一方は流体用、他方は抽出材料用）の必要性が、排除される。更に、例えば、本明細書に開示される携帯用抽出技術は、冷却要素、および、流体の消毒により生じる危険をユーザーが認識することを可能にする有効なユーザーインターフェースを随意に含む。いくつかの実施形態において、携帯用抽出装置は、抽出飲料の現在の温度または予めプログラムされた飲用温度をユーザーに知らせる外部ディスプレイ、および、飲料を安全な温度にまで冷却するための冷却ユニットなどの、安全装置を含む。
【００２５】
開示された技術に従ういくつかの態様において、携帯用抽出装置は、抽出材料（例えば、茶の葉、ティーバッグ、コーヒー粉、コーヒーポッドなど）を包含する容器の内部に特殊なキャニスターシステムを持つ容器を含み、抽出材料の抽出を調整するためにキャニスターの中／外での、キャニスターの内部に保存可能な水の移動を制御する。携帯用抽出装置は更に、装置中の流体の温度を連続的に調整するためのインテリジェント加熱システム、および、動作機能を制御し且つ装置のユーザー特有の設定を保存するためにキャニスターおよび加熱システムと通信状態にあるデータ処理ユニットを含み得る。
【００２６】
開示された技術に従ういくつかの態様において、制御された抽出装置は、茶の葉、ティーバッグ、コーヒー粉、コーヒーポッドのような抽出材料を受け取り且つ包含し、且つ、抽出材料の抽出を調整するために水などの流体が中または外を流れることを制御可能に可能にするように構成される、抽出キャニスターアセンブリを含む。抽出キャニスターアセンブリ（本明細書では抽出キャニスターとも称される）は、内部キャニスターの少なくとも１つの領域に沿って位置する穴を持つ内部キャニスター、および、内部キャニスターに対応する領域に沿った穴を持つ外部キャニスターを含む。内部キャニスターは、外部キャニスターに対して縦軸に沿って移動しおよび／またはその周囲で回転するように構成される。閉位置に関して、内部キャニスターは、外部キャニスターに対して移動することができ、或いはその逆が生じ、または両方が移動することも可能であり、それにより、各キャニスターの穴部を含む領域は、外部キャニスターの中実側面に位置付けられ、従って抽出キャニスターアセンブリは、外から内部に内容物を閉鎖および密閉する。開位置に関して、内部キャニスターは、外部キャニスターに対して移動することができ、或いはその逆が生じ、または両方が移動することも可能であり、それにより、各容器の穴を含む領域は、穴が位置合わせされる（または、少なくとも部分的に位置合わせされる）ように位置付けられ、ここで、抽出キャニスターアセンブリは、内部キャニスターの中および／または外を流れる流体を制御する。いくつかの実施形態において、例えば、抽出キャニスターアセンブリは、開位置と閉位置との間を移動するために内部キャニスターおよび／または外部キャニスターを起動させるための、コントローラなどの制御装置に動作可能に繋げられる。制御装置は、開位置と閉位置との間を移動するために内部キャニスターおよび／または外部キャニスターを起動させるためのアクチュエータ（例えばモーターなど）を制御するように構成されてもよい。制御された抽出装置は、茶やコーヒーなどの抽出の正確な制御のために、任意のサイズの管または抽出装置に組み込まれ得る、モジュラー装置として構成され得る。この種の機構は、抽出を開始および終了する時間など、抽出条件の正確な制御を提供する。制御された抽出装置はまた、例えば抽出キャニスターアセンブリが抽出の必要無しに抽出材料を保存することができ、および自由可能に抽出を可能にし且つこれを止めるように移動することができるため、抽出材料および抽出の空間の最も効果的な使用を提供する。
【００２７】
例えば、本明細書に開示される抽出装置は、抽出の前に抽出材料および水が最初に分離されおよび後に組み合わせられることを必要とする、茶やコーヒーなどを抽出するための従来の方法に都合が良く、例えば、抽出材料および水の一方または両方は、抽出を開始するために互いに接触するように、別のチャンバへと移動されるまたは運ばれなければならない。制御された抽出装置は、異なるチャンバへの水または抽出材料の動作を必要せず；むしろ、制御された抽出装置は、抽出が始まる時間を正確に制御するために水および抽出材料を別々に保存することができ、且つ、制御された抽出装置を利用して携帯性を促進しおよび／または抽出システム（例えば搬送可能な「出先の」システムまたは移動可能なカウンタートップシステムなど）のサイズを縮小させるために空間効率の良い様式で、保存を行うことができる。
【００２８】
開示された技術に従ういくつかの態様において、システムは、ユーザーの定義されたパラメータ（例えば、抽出温度、抽出時間、および／または飲用温度）に基づき、コーヒーや茶などの所望の飲料を抽出するための、携帯用抽出装置の命令を送信するようにユーザーが相互に作用するソフトウェアアプリケーション（「ａｐｐ」）を持つ、スマートフォン、タブレット、または着用可能な通信装置などの装置からの通信を受信する、携帯用抽出装置の実施形態を含む。いくつかの実装において、ａｐｐは、抽出される飲料のタイプ（例えば、カモミールティー対紅茶のような特定のタイプの茶、またはコーヒーのタイプなど）に基づいた抽出手順を提供する場合もある。抽出手順は、特定の抽出パラメータに関して、ユーザーにより修正可能であり得るデフォルト手順として、ユーザー装置（例えばスマートフォン、タブレットなど）の上でａｐｐにより表示され得る。ａｐｐは、アカウントにおけるユーザーについての情報、例えば名前、住所、連絡先情報、クレジットカード、または他の購入情報など、並びに、ａｐｐにより自動化された注文機能および他の機能に使用され得る、携帯用抽出装置によるユーザーの飲料の消費についての情報を管理することができる。いくつかの実施形態において、システムは、データを処理且つ記憶するためのクラウドと称される、インターネット上などのネットワークにおいて他のコンピュータおよび装置と通信状態にある、１以上のコンピュータを含む。１以上のコンピュータは、クラウドコンピュータまたはサーバーとも称される。そのような実施形態において、ユーザー装置上で動作可能なａｐｐは、ユーザー情報、飲料消費情報、および飲料のタイプ、並びにユーザーが作成および保存を望むカスタムパラメータなど、ユーザーのデータ（例えばアカウント）が記憶され得るクラウドサーバーと通信状態にあり得る。いくつかの実施において、クラウドサーバーは、ユーザーの活動に依存した特定数の使用時／使用後に、より多くの抽出材料（例えばコーヒーポッド、ティーポッドなど）の購入をユーザーに示唆することができる。いくつかの実施において、クラウドサーバーは、命令プロセスを自動化することができる。ユーザーデータは、飲料の消費に基づいて特定のタイプの飲料の購入を示唆するために、クラウド中に、および／または、ａｐｐを介してユーザー装置上に記憶され得る。
【００２９】
開示された技術に従ういくつかの態様において、茶、コーヒー、または他の抽出可能な飲料を制御可能に抽出する方法は、抽出キャニスターアセンブリにおいて抽出材料（例えば、コーヒーポッド、ティーポッドなど）を受け取る工程を含み、抽出キャニスターアセンブリは、例えば抽出が所望されるまで流体が抽出材料と相互に作用するのを妨げるために、閉位置にある。前記方法は、穴（現在密封／閉鎖されている）が沈められる水準にまで水が満たされるように、閉鎖された抽出キャニスターアセンブリが存在するチャンバまたは容器において、例えば冷たい温度または室温などの温度で水を受け取る工程を含む。前記方法は、抽出キャニスターアセンブリ、および抽出装置の加熱ユニットおよび／または冷却ユニットを起動させるように動作可能な制御装置において抽出プロトコルを受け取る工程を含む。受け取られた抽出プロトコルは、プロセッサにより実行可能であり、且つ制御装置のメモリに記憶される命令を含み得る。抽出プロトコルの命令は、実行時に、制御装置に抽出シーケンスを開始させ、抽出シーケンスは、（ｉ）加熱ユニットによる、抽出プロトコルにおいて特定された抽出温度への水の加熱、（ｉｉ）抽出プロトコルにおいて特定された特定の時間にわたる抽出キャニスターの作動（水が抽出キャニスターアセンブリの内部に入り、且つ飲料材料を抽出することを可能にする）、および（ｉｉｉ）容器中の流体が抽出飲料となった後の特定の時間の終了時の抽出キャニスターの閉鎖を含む。いくつかの実施において、抽出プロトコルの命令は、制御装置に、抽出プロトコルにおいて特定された飲用温度へと抽出飲料を冷却するための冷却ユニットを起動させる。いくつかの実施において、制御装置は、例えば、抽出の開始、および、抽出温度および抽出時間等の抽出パラメータの設定を示すために押すことが可能な容量性ボタンなどにより、抽出装置自体の上で作動され得る。いくつかの実施において、制御装置は、命令された抽出シーケンスを開始且つ制御するための、制御装置により実行可能な命令を提供するために、外部装置（例えば、スマートフォン、スマートウォッチなど）から操作することができる。
【００３０】
開示された実施形態のいくつかが、本件技術の基礎的な機能についての理解を促すために、主に茶（例えば、ルーズリーフティー、ティーバッグ、ティーポッドなどの全てのタイプ）の抽出に基づいて記載される一方で、開示された実施形態はまた、コーヒー（例えば、粗い（ｌｏｏｓｅ）粉、ポッドなどの全てのタイプ）、葉、濃縮物、粉末、或いは、ショウガの根、ミントの葉、柑橘類の皮などの他の植物または果実の根、または他の物質を含むがこれらに限定されない、例えば熱いまたは冷たい飲料を調製するための他の物質の抽出も含み得ることが、理解される。
【００３１】
図１Ａは、開示された技術の典型的な携帯用抽出装置（１００）の実例となる概略図を示す。装置（１００）は、装置（１００）のコンポーネントを収容するための容器本体（１０１）を含む。容器本体（１０１）は、様々な形状およびサイズを有し、十分な強度、支持、電気絶縁、熱の絶縁および／または散逸を提供するために、様々な材料のいずれか、およびユーザーが装置（１００）を保持し、運び、保存するためのグリップを含むように構成され得る。容器本体（１０１）は、開口部を上部に含むように構築され、そこで、取り外し可能な／取り付け可能な（即ち、可逆的に取り付け可能な）蓋またはキャップが、容器本体（１０１）に固定され得る。いくつかの実施形態では、例えば、容器本体（１０１）は、例えば、茶（例えばルーズリーフ茶葉またはティーバッグ）および／または砂糖、蜂蜜、ミルクまたはクリームのパック、マドラーのような茶の付属品のための貯蔵空間を提供するために、アドオンコンパートメント（１１１）を含むことができる。例えば、いくつかの実施では、容器本体（１０１）は、例えば、図１Ａの図で描写されるように、円筒形で形作られ、硬質プラスチック材料を含むことができる。容器本体（１０１）は、把持用の領域を含むエルゴノミックデザインを含むことができる。
【００３２】
抽出装置の携帯用の実施形態には、多くのサイズ寸法が適している。限定しない例として、適切なサイズは、約３乃至約１８インチの高さ且つ約１乃至約７インチの幅を含む。さらに限定しない例として、適切なサイズは、約５乃至約１５インチの高さ且つ約１乃至約５インチの幅を含む。いくつかの実施形態では、抽出装置の携帯用の実施形態は、２４インチ未満の高さ且つ１０インチ未満の幅の寸法を有している。
【００３３】
抽出装置の携帯用の実施形態には、多くの重量が適している。限定しない例として、適切な重量は、約０．０５乃至約５ポンドを含む。さらに限定しない例として、適切な重量は、約０．１乃至約３ポンドを含む。いくつかの実施形態では、抽出装置の携帯用の実施形態は、８ポンド未満の乾燥重量を有している。
【００３４】
装置（１００）は、容器本体（１０１）に位置する内部チャンバ（１０２）を含み、チャンバ（１０２）の上部は、流体（例えば水）が装置（１００）に入るおよび装置（１００）を出る、および装置（１００）に流体を含有することができるように開いている。いくつかの実施形態では、例えば、内部チャンバ（１０２）は、容器本体（１０１）の部分である。いくつかの実施形態では、例えば、内部チャンバ（１０２）は、容器本体（１０１）に付いている別のコンポーネントであり、例えば、内部チャンバ（１０２）の下で容器本体（１０１）内に収容されたコンポーネントへのアクセスを可能にするために容器本体（１０１）から取り外し可能であり得る。
【００３５】
抽出装置の携帯用の実施形態には、多くの流体容量が適している。限定しない例として、適切な流体容量は、約２乃至約３６オンスを含む。さらに限定しない例として、適切な流体容量は、約３乃至約２５オンスを含む。いくつかの実施形態では、抽出装置の携帯用の実施形態は、４８オンス未満の流体容量を有している。
【００３６】
装置（１００）は、内部チャンバ（１０２）に位置する抽出キャニスター（１０３）を含む。抽出キャニスター（１０３）は、例えば、図１Ａに示されるような内部チャンバ（１０２）の底など、内部チャンバ（１０２）内の様々な深さに位置付けられ得る。抽出キャニスター（１０３）は、茶を含有する、茶を抽出する、および抽出された茶液の内部チャンバ（１０２）への拡散を制御するためのコンパートメントを提供する。いくつかの実施形態では、例えば、抽出キャニスター（１０３）は、例えば、ユーザーが装置（１００）の外部から茶を充填し除去することを可能にするために、内部チャンバ（１０２）から取外し可能である。抽出キャニスター（１０３）は、互いに対して移動可能であり、上部でアパーチャーを形成する、内部キャニスター壁および外部キャニスター壁を含むように構築されている。抽出キャニスター（１０３）の内部キャニスター壁および外部キャニスター壁は各々、開口部を含み、それによって、内部キャニスター壁および外部キャニスター壁が開位置に移動させられるときに、開口部は少なくとも部分的に位置合わせされ、その結果、抽出キャニスター（１０３）の内部と外部との間に位置合わせされた開口部が広がり、また内部キャニスター壁および外部キャニスター壁が閉位置に移動させられるときに、開口部は位置合わせされておらず、その結果、内部キャニスター壁および外部キャニスター壁は、抽出キャニスター（１０３）の内部と外部との間の通路を妨げる。抽出キャニスター（１０３）は、例えば、流体（例えば水）が抽出キャニスター（１０３）の上部に入る／を出ることを防ぐために、上部でアパーチャーを密閉するキャップを含むことができる。内部キャニスター壁および外部キャニスター壁は、抽出キャニスター（１０３）への水の流れを制御するために制御可能に開閉されるように構築されており、それによって、内部チャンバ（１０２）への抽出された茶の拡散を可能にするおよび止めることができる。例えば抽出キャニスター（１０３）の内部キャニスター壁および外部キャニスター壁の制御は、抽出を開始または停止するために、自動的にまたは手動で始動され得る。抽出キャニスター（１０３）の実例となる実施形態は、チャンバ（１０２）内に閉位置で示され、ここで茶は、キャニスター（１０３）から出る抽出された茶液の流れを防ぐ閉位置で位置合わせされていない開口部の構造設計のために拡散することができない。抽出キャニスター（１０３）の典型的な実施形態の図は、続く図で示される。
【００３７】
抽出キャニスター（１０３）の開閉によって、例えば、ユーザー定義の抽出のレベルに基づき得る理想条件で飲料材料を抽出するために、流体が飲料材料（例えば、茶、コーヒーなど）に接触することが可能になる。例えば、ユーザー定義の抽出のレベルに関する理想的な飲料を得るために、飲料材料に依存する具体的な流れがあるべきである。いくつかの実施形態では、内部キャニスターおよび外部キャニスターにおける開口部は、内部キャニスター、外部キャニスター、またはその両方に作用するアクチュエータの動作によって、様々な程度の位置合わせがもたらされるおよび位置合わせされない（ｂｒｏｕｇｈｔ  ｉｎｔｏ  ａｎｄ  ｏｕｔ  ｏｆ）ように構成されている。そのため、位置合わせされた開口部の領域によって、抽出キャニスター（１０３）に入るおよび抽出キャニスター（１０３）を出る流体の流れの程度および抽出材料と流体との間の接触の程度が判定される。いくつかの実施形態では、抽出キャニスター（１０３）は、飲料材料を通り抜ける流体の量を制御するために、異なる穴部の大きさを有する。穴部の大きさは、抽出キャニスターが閉められた後に内部チャンバにおける流体での抽出の継続を防ぐように、飲料材料が内部チャンバに入るのを防ぐためのフィルターとして抽出キャニスターが作用するように小さくなり得る。いくつかの実施では、穴部の大きさは、内部キャニスター壁および外部キャニスター壁におけるそれらの物理設計に基づいて指定され得る。一方、いくつかの実施では、穴部の大きさは、互いに対する内部キャニスター壁および外部キャニスター壁の抑制された移動に基づいて指定され得、その結果、開位置にするための位置合わせの程度は、最大から最小のサイズまでのサイズの範囲を提供するために変更され得る。
【００３８】
いくつかの実施形態では、抽出キャニスター（１０３）はまた、例えば、あらゆる微細な抽出材料が抽出キャニスター（１０３）へと挿入されることを可能にするおよび該抽出材料が内部チャンバ（１０２）に移動するのを防ぐフィルターとして作用するための、内部抽出キャニスターと外部抽出キャニスターとの間に挿入され得る追加の膜を含むことができる。そのような実施形態では、抽出キャニスターは、より大きな穴部の大きさにかかわらず、あらゆる微細な抽出材料の抽出を可能にしながらも抽出のための抽出をなお制御することができる。いくつかの実施形態では、この膜材料は、同じ目的を果たすために抽出キャニスター（１０３）の内部キャニスターの内部に配され得る。実施において、飲料材料は、内部チャンバ（１０２）からの流体を制御することによって抽出を制御するために、飲料材料への水の移動および暴露の正確な制御を提供しながら、実例となる実施形態のいずれかによって抽出キャニスター（１０３）を出ることを制御される。このように、飲料材料は、抽出キャニスター（１０３）にとどまり、抽出キャニスター（１０３）が閉位置にあるときに内部チャンバ（１０２）において流体と相互作用することができない。いくつかの実施形態では、飲料を正確に制御するべく密閉可能なキャニスターへの飲料材料の閉じ込めを制御するために、フィルターまたは膜も内部キャニスターに加えられ得る。例えば、閉じ込め制御を有することによって、ユーザーは、定義した理想パラメータから、抽出し過ぎてしまうことを心配する必要なしに抽出飲料を楽しむことができ、飲む前に装置から飲料材料を除去する必要なしに抽出飲料を楽しむことができる。例えば、飲料材料および流体の流れのそのような正確な制御によって、その後の時間にかかわらず飲料を抽出することが可能になり、そこで流体は抽出し続けることはなく、飲料材料を除去する必要なしにあらゆる場所で飲料を摂取することが可能になる。
【００３９】
装置（１００）は、水の加熱を引き起こし、内部チャンバ（１０２）内の水の温度を調整するための加熱ユニット（１０４）を含む。加熱ユニット（１０４）は、内部チャンバ（１０２）に対する様々な場所に位置付けられ得る、および／または独立して制御することができる複数の加熱ユニット（１０４）を含む。装置（１００）は、水の温度を判定するために内部チャンバ（１０２）に沿って様々な場所に位置する１つ以上の温度センサー（１０５）を含み、ここで、測定された温度は、加熱ユニット（１０４）によって水の温度を調整することに使用される。１つ以上の温度センサー（１０５）は、例えば、熱電対、サーミスター、抵抗温度検出器、およびサーモスタットユニットなどの、接触センサーおよび／または非接触センサーを含むことができる。加熱ユニット（１０４）のいくつかの実施では、流体の温度は、続く図に示されるように誘導加熱、ペルチェ効果、電気加熱、または他のものによって加熱され得るおよび／または冷却され得る。例えば、実例となる実施形態では、加熱ユニット（１０４）は、電流を内部チャンバ（１０２）に提供される熱へと変換する（ｃｏｖｅｒｔ）電気抵抗コイルを含むことができる。
【００４０】
後に図７Ａでも示されるいくつかの実施形態では、装置（１００）は冷却ユニットを含む。冷却ユニットの実施では、冷却は、流体から内部チャンバ（１０２）における周囲空気までのより速い熱伝達のための対流を引き起こすように抽出された流体を移動させることによって「冷却までの時間」を減少させるために、モーター（例えばモーター（１１３））が内部チャンバ（１０２）においてパドル（または他の形作られたコンポーネント）をスピンさせる、スピニング機構によって達成される。いくつかの実施では、スピニング機構は、管の底部に位置付けられ、抽出された流体において渦状のフィールド（Ｖｏｒｔｅｘ  ｓｈａｐｅｄ  ｆｉｅｌｄ）を誘発するための十分高いＲＰＭでスピンするように構成されている。結果として生じる強制誘導は、停滞した流体において起こり得る強制誘導よりも速い冷却を達成する。いくつかの実施では、例えば、スピニング機構は、さらにより大きな冷却効果のためにペルチェとさらに組み合わせられ得る。実施形態では、冷却ユニットはヒートシンクを含むことができる。実施において、冷却は、熱エネルギーをヒートシンク材料へと移すことによって、内部チャンバを囲むように配されたヒートシンク材料を介して達成される。いくつかの実施形態では、冷却ユニットは、冷却を達成するためにペルチェを含むことができ、ペルチェは、抽出された流体が冷却され得るようにペルチェの側面が内部チャンバ（１０２）に触れるように配される。いくつかの実施では、ペルチェは、ベントが容器本体（１０１）上のいくつかの領域に提供される、容器本体（１０１）と内部チャンバ（１０２）の間の中空領域などの、装置（１００）の空洞においてファンとベントのアセンブリと組み合わせられ得る。ファンとベントのアセンブリを有するこの実例となるペルチェは、より多くの熱が流体から移ることを可能にする温度勾配を維持するために、ペルチェの加熱側面から生成された加熱空気を装置から移動させることによって冷却時間を短縮させることができる。ペルチェはまた、流体の加熱および冷却の両方を可能にし、高温および低温両方における抽出を可能にする。例えば、飲料は、高温で抽出され、その後、冷却されて冷たい飲料になり得るか、またはその逆もしかりである。高温または低温での飲料の抽出には、特有の利点があり；例えば、高温での飲料の抽出は、より速い抽出を可能にし、低温での飲料の抽出は、苦味がより少なくなり得る。そのような実施では、例えば、実例となるペルチェユニットによって、ユーザーは、好みに依存して望む技術、即ち、高温抽出または低温抽出を選択することが可能になる。
【００４１】
装置（１００）は、装置（１００）の特徴および機能を制御するための、制御装置とも呼ばれる、データ処理ユニット（１０６）を含む。図１Ｂに示されるように、データ処理ユニット（１０６）は、データを処理するためのプロセッサ（１１２）およびデータを保存するためのプロセッサ（１１２）と通信しているメモリ（１１４）を含むことができる。例えば、プロセッサ（１１２）は、中央処理装置（ＣＰＵ）またはマイクロコントローラーユニット（ＭＣＵ）を含むことができる。例えば、メモリ（１１４）は、情報、コマンド、および／またはデータの受信、情報およびデータの処理、および別の実体（例えば外部装置）への情報／データの送信または提供などの、様々な動作を実行するために、プロセッサ（１１２）によって実行されたときにデータ処理ユニット（１０６）を構成する、プロセッサ実行可能コードを含むことができる。データ処理ユニット（１０６）の様々な機能を支持するために、メモリ（１１４）は、命令、ソフトウェア、値、画像、およびプロセッサ（１１２）によって処理または参照された他のデータなどの、他の情報およびデータを保存することができる。様々なタイプのランダムアクセスメモリ（ＲＡＭ）装置、読み取り専用メモリ（ＲＯＭ）装置、フラッシュメモリ装置、および他の適切な記憶媒体が、メモリ（１１４）の記憶機能を実施するために使用され得る。メモリ（１１４）は、データ処理ユニット（１０６）および（例えば抽出キャニスター（１０３）にインターフェースされたセンサーまたはコンポーネントを介する）例えば、加熱ユニット（１０４）、温度センサー（１０５）、および／または抽出キャニスター（１０３）を含む、装置（１００）の他のユニットのデータおよび情報の他に、装置（１００）と通信している他のシステムおよび装置に関する情報も保存することができる。例えば、メモリ（１１４）は、デバイスユニットパラメーター、およびハードウェアの制約の他に、装置（１００）上の動作のためのソフトウェアパラメーターおよびプログラムも保存することができる。データ処理ユニット（１０６）は、装置（１００）の他のユニットへのデータ処理ユニット（１０６）の通信接続性を可能にするＩ／Ｏ装置（１１６）を含むことができる。例えば、Ｉ／Ｏ装置（１１６）は、例えば、限定されないが、ユニバーサル・シリアル・バス（ＵＳＢ）、ＩＥＥＥ  １３９４（ＦｉｒｅＷｉｒｅ）、Ｂｌｕｅｔｏｏｔｈ（登録商標）、Ｂｌｕｅｔｏｏｔｈ（登録商標）  Ｌｏｗ  Ｅｎｅｒｇｙ（ＢＬＥ）、ＺｉｇＢｅｅ、ＡＮＴ、ＩＥＥＥ  ８０２．１１（Ｗｉ−Ｆｉ）、無線ローカルエリアネットワーク（ＷＬＡＮ）、無線パーソナルネットワーク（ＷＰＡＮ）、無線ワイドエリアネットワーク（ＷＷＡＮ）、ＷｉＭＡＸ、ＩＥＥＥ  ８０２．１６（ワールドワイド・インターオペラビリティ・フォー・マイクロウェーブ・アクセス（ＷｉＭＡＸ））、３Ｇ／４Ｇ／ＬＴＥ／５Ｇセルラー通信方式、およびパラレルインターフェースを含む、例えば、典型的なデータ通信基準と適合性のある様々な種類の有線または無線のインターフェースを使用して、データ処理ユニット（１０６）を他の装置またはシステムと通信させることができる。Ｉ／Ｏ装置（１��６）はまた、外部インターフェース、データ記憶のソース、または表示装置へのデータ処理ユニット（１０６）の通信接続性を提供することができる。データ処理ユニット（１０６）のＩ／Ｏ装置（１１２）はまた、プロセッサ（１１２）によって処理され得るか、メモリ（１１４）において保存され得るか、または装置（１００）の出力装置上に示され得るデータおよび情報を検索および転送するために、他の外部インターフェース、データ記憶のソース、および／または視覚表示装置または音声表示装置などとインターフェースすることができる。データ処理ユニット（１０６）のいくつかの実施では、例えば、データ処理ユニット（１０６）は、装置（１００）のセンサーの捕捉された電気信号または装置（１００）のユニットに対する制御信号を増幅させる、調節する、またはそうでなければ修正するための、信号処理ユニットを含むことができる。例えば、信号処理ユニットは、信号を増幅させる、および／または信号をアナログ信号とデジタル信号間で変換するための回路を含むことができる。例えば、信号処理ユニットは、トランジスタ、コンデンサ、抵抗器、誘導子、トランジスタ、ダイオード、増幅器、および／または他の回路素子などを含むことができる。
【００４２】
いくつかの実施形態では、例えば、装置（１００）は、例えば、限定されないが、装置の様々なコンポーネントを冷却するためのファン、内部チャンバ（１０２）において流体の状態を検出するための他のセンサー、ユーザーがデータ処理ユニット（１０６）と相互作用するおよびデータ処理ユニット（１０６）によって提供された装置（１００）に関する表示可能な情報を視認することを可能にするディスプレイおよび／またはボタン、および／または、例えば、デスクトップまたはラップトップのコンピュータ、タブレット、スマートフォン、またはウェアラブルコンピューティングデバイス（例えば、スマートウォッチ、スマートガラスなど）を含むコンピューターデバイスなどの、外部装置によって特定の機能を実行するために、装置（１００）の制御およびプログラムを可能にする、データ処理ユニット（１０６）に連結された有線（例えば接続）または無線の通信ユニットを含む、他の一体型電子ユニットを含むことができる。例えば、センサーは、重量センサー、光センサー、ｐＨセンサー、濃度センサー、または他のセンサーを含むことができる。例えば、無線通信ユニットは、ＷｉＦｉ、Ｂｌｕｅｔｏｏｔｈ（登録商標）、または近距離無線通信プロトコルを介してデータを送受信することができるＴｘ／Ｒｘ装置を含むことができる。
【００４３】
装置（１００）は、装置（１００）のコンポーネントに動力を提供するための動力源（１０７）を含む。例えば、動力源（１０７）は、データ処理ユニット（１０６）、加熱ユニット（１０４）および温度センサー（１０５）に電気的に連結された、交換可能なバッテリーおよび／または再充電バッテリーを含むことができる。いくつかの実施形態では、例えば、動力源（１０７）は、装置（１００）の特定のコンポーネントにＤＣ電力を供給するためのＡＣ−ＤＣコンバータを含むことができる。例えば、動力源（１０７）は、直接充電（例えば、電気アウトレット、ＵＳＢ接続を介するコンピュータなどの、例えば、外部動力源への接続）によって、無線充電によって、および／または太陽エネルギー変換（例えば、ソーラーパネルを使用する）によって充電することができる。
【００４４】
装置（１００）のいくつかの実施形態では、例えば、装置（１００）は、内部チャンバ（１０２）において水の流れおよび茶の拡散を制御するために、内部キャニスター壁および／または外部キャニスター壁の移動を、開口部を位置合わせするおよび位置合わせしないように促進する、データ処理ユニット（１０６）と通信しており、抽出キャニスター（１０３）に連結された、モーター（１０８）を含むことができる。
【００４５】
抽出キャニスターの移動を促進することには、多くのモーターが適している。いくつかの実施形態では、モーターはステッピングモーターである。適切なステッピングモーターは、限定しない例として、１ステップ当たり少なくとも０．５、１、２、３、４、５、６、７、８、９、１０、１１、１２、１３、１４、１５、１６、１７、１８、１９、２０、２１、２２、２３、２４、２５、２６、２７、２８、２９、または３０度を有するものを含む。適切なステッピングモーターは、限定しない例として、以下の一般的なステップ角の１つを有するものを含む：０．３６°、０．７２°、０．９°、１．８°、３．７５°、または７．５°。いくつかの実施形態では、モーターは、ブラシまたはブラシレスのＡＣまたはＤＣのモーターであるか、あるいは１つ以上のＡＣ誘導モーターである。いくつかの実施形態では、モーターはＤＣサーボモーターである。本明細書に記載されるように、モーターは、いくつかの実施形態において、制御装置によって制御される。そのような実施形態では、モーターは、抽出キャニスターに入るおよび抽出キャニスターから出る流体の流れおよび流体と抽出材料との間の接触を制御するべく、内部キャニスター、外部キャニスター、またはその両方を望ましい程度まで回転させるように始動させるために、コントローラから制御信号を受信する。
【００４６】
装置（１００）のいくつかの実施では、例えば、装置（１００）は、例えば、追加のバッテリーパック、キャリングハンドル、ストラップ、クリップ、スリーブ、または多目的の蓋などの、アドオンコンパートメント（１１１）に保存され得るか、または容器（１０１）に付けられ得る、追加のコンポーネントを含むことができる。
【００４７】
装置（１００）は、ユーザー入力に基づいて飲料の理想的な抽出を調和して制御するように操作可能である。例えば、この調和した制御は、抽出されていない飲料材料を含有している閉位置における抽出キャニスター（１０３）の初期状態で始まり、（定義された温度および抽出時間の設定に従って）飲料材料内で流体の流れを調整するおよび飲料材料を暴露するために、抽出キャニスター（１０３）の制御された開口部に移る。例えば、開口前に、抽出温度が達成され、水の移動および温度が、抽出キャニスター（１０３）における抽出材料の正確な抽出を引き起こし、内部チャンバ（１０２）において抽出飲料を形成させるように、加熱された流体の流れが抽出キャニスター（１０３）の開口とともに制御される。いくつかの実施では、流体の移動は、スピニング機構を介して制御される。本明細書において、ユーザー定義の抽出設定が達成されると、装置は、抽出キャニスター（１０３）の閉鎖の調和した制御を提供し、その後、冷却機構によって、抽出された流体を望ましい飲用温度にして、「準備ができた状態（ｒｅａｄｙ  ｔｏ  ｇｏ）」になる。例えば、冷却、より速い熱伝達のために流体の撹拌とともに流体を空気に暴露することによって、および／またはユーザー定義の飲用温度までのペルチェなどの別の冷却機構から達成され得る。これによって、ユーザー定義に依存する（例えば、各ユーザーのために各飲料に対してカスタマイズされる）飲料材料の「完全な」抽出が可能になる。
【００４８】
いくつかの場合では、例えば、抽出プロセスは、加熱ユニット（１０４）による第１の温度までの加熱（その後、抽出キャニスター（１０３）は開けられて、抽出が始まる）を含むことができ、およびその後、抽出プロトコルが複数の温度を要求する場合、加熱ユニット（１０４）による第２の温度までの加熱を含むことができる。同様に、抽出プロトコルが抽出中により低い温度を要求する場合、冷却ユニットは、抽出プロセスの間に、温度を次の温度（例えば、第２の温度）まで下げることができる。
【００４９】
図２Ａは、典型的な抽出キャニスター（１０３）の例示的な図を示し、これは、例えば、モーター（１０８）による開口または閉鎖を含んで、キャニスター壁がどのように構成され得るかを示している。抽出キャニスター（１０３）は、図２Ａに示されるように、内部キャニスター壁が、外部キャニスター壁の内部に適合することができる、例えば、蓋に付けるおよび蓋から取り外すことができる（例えば、ねじ留め／ねじ抜き、磁石など）ハンドルバーによって内部キャニスター壁の蓋を介して取り外され、挿入され得るように構築される。抽出キャニスター（１０３）の１つの実例となる実施形態において、内部チャンバの底には、外部チャンバの底の穴部を通り抜ける突出ノッチを含まれ、ここで、両方のチャンバの底は、互いに接触し、流体および／またはキャニスター（１０３）の内容物が漏れるのを防ぐ。内部キャニスター壁の突出ノッチは、モーター（１０８）に連結され、それによって、モーター（１０８）は、内部キャニスター壁を外部キャニスター壁に対して回転させることができる。例えば、モーター（１０８）は、内部チャンバ（１０２）につながり、内部キャニスター壁の突出ノッチに連結する、連結部を含むことができ、例えば、それによって、流体が内部チャンバ（１０２）から漏れるのを防ぐために、内部チャンバ（１０２）のインターフェースおよびモーター（１０８）の連結部が、流体的に密閉される。図２Ａに示されるように、抽出キャニスター（１０３）が閉位置にあるときに、開口部（例えば穴部）は、流体の流れを防ぐために互いに位置合わせされておらず；抽出キャニスター（１０３）が開位置にあるときに、開口部（例えば穴部）は、流体が流れることを可能にするために互いに位置合わせされる。いくつかの実施では、例えば、抽出キャニスター（１０３）は、固体物体（例えば、ゆるい（ｌｏｏｓｅ）茶葉またはコーヒー粉）が通り抜けることを防ぎながら、流体が通り抜けることを可能にするために、内部キャニスター壁に適合する、孔部を有する内部膜を含むことができる。
【００５０】
図２Ｂは、図２Ａに示される典型的な抽出キャニスター（１０３）の例示的な図を示し、ここで、蓋およびハンドルバーは、内部キャニスター壁から取り外される。抽出キャニスター（１０３）のいくつかの実施では、例えば、抽出キャニスター（１０３）は、ティーバッグを固定するためのクリップまたは内部コンパートメントを含んでもよい。
【００５１】
図３は、典型的な抽出キャニスター（１０３）の例示的な図を示し、これは、例えば、モーターの代わりに内部キャニスターを回転させるハンドルを手動で使用することによる開口または閉鎖を含んで、キャニスター壁がどのように構成され得るかを示している。
【００５２】
図４は、抽出キャニスター（１０３）の別の実例となる実施形態を示し、ここで、内部キャニスター壁は、２つの側に穴部を穿孔され、大きな開口部またはスロットを含む外部キャニスター壁へと挿入される。内部キャニスター壁は回すことができ、穴部は、外部キャニスター壁の忠実側面に位置付けられ得、それによって、水に対する閉鎖が可能になる。内部キャニスター壁は回すことができ、穴部は、外部キャニスター壁の開放スロットに位置付けられ得、それによって、水に対する開口が可能になる。この典型的な抽出キャニスター（１０３）は、抽出の開始および停止を制御するように操作され得、これは、内部キャニスター壁を回すために、モーターまたは手動レバーの取り付けとともに実施され得る。いくつかの実施では、内部キャニスターはまた、２つの側が穴部で穿孔される代わりに、固体物体が通り抜けるのを防ぎながら流体が通り抜けることを可能にするために、小さな孔部のある内部膜を有することができ、例えば、それによって、内部キャニスターを２つの側が固体であるままにし、他の２つの側（ｔｈｅ  ｏｔｈｅｒ  ｔｗｏ）は外部キャニスターに類似した大きな開口部を有する。抽出キャニスター（１０３）のためのいくつかの実施形態では、内部キャニスターは、茶、コーヒーなど１杯分の供給を可能にする使い捨てのキャニスターに置き換えられ得るように取り外し可能である。
【００５３】
図５Ａおよび図５Ｂは、開示された技術の典型的な携帯用抽出装置の例示的な図を示す。図５Ａは、抽出キャニスター（１０３）の内部キャニスター壁が、内部チャンバ（１０２）へとおよび抽出キャニスター（１０３）の外部キャニスター壁の内部に挿入されている、典型的な装置（１００）を示す。図５Ｂは、拡散を可能にするおよび防ぐべく、ユーザーが内部キャニスター壁および外部キャニスター壁の開口部を手動で位置合わせされるおよび位置合わせされないことを可能にするために、抽出キャニスター（１０３）に連結される手動レバー（５０８）を含む、典型的な携帯用抽出装置（１００Ｂ）を示す。手動レバー（５０８）は、容器本体（１０１）の外部上のノブまたはボタンに連結され、それによって、ユーザーは、レバー（５０８）を抽出キャニスター（１０３）の内部キャニスター壁の移動を制御するように始動させることができる。
【００５４】
本技術の携帯用抽出装置のいくつかの実施形態では、加熱ユニット（１０４）は、内部チャンバ（１０２）の下に、または円筒状の内部チャンバ（１０２）に沿って様々な位置に位置付けられ得る。本技術の携帯用抽出装置のいくつかの実施形態では、抽出キャニスター（１０３）は、装置の可逆的に取り付け可能な蓋に付けられ得、それによって、手動レバー（５０８）は、内部キャニスター壁および蓋の外部上のボタンまたはノブにも連結され、ユーザーは、抽出キャニスター（１０３）の開閉を手動で制御することが可能になる。本技術の携帯用抽出装置のいくつかの実施形態では、抽出キャニスター（１０３）は、内部チャンバ（１０２）における底部と上部との間の位置（例えば蓋の下）に吊るされ（ｓｕｓｐｅｎｄｅｄ）、例えば、そこで外部キャニスター壁は、内部チャンバ（１０２）の壁から伸びるコネクターアームに連結される。
【００５５】
開示された携帯用抽出技術によって、ユーザーは、水と抽出物質を別々に加えて保存することができ、茶、コーヒーまたは他の物質の抽出をどこでも開始することができる。例えば、茶を抽出するために、ユーザーは、単純に、例えば、ボタンを押すことによって、飲料の加熱、抽出、および冷却を開始するように抽出シーケンスを始動させることができる。いくつかの実施では、ユーザーはまた、飲料を冷却するようにシーケンスを始動させることができる。図６は、ユーザーが装置の動作を制御するためのディスプレイおよびコントロールパネルを含む、携帯用抽出装置の典型的な実施形態の図を示す。例えば、ディスプレイは、抽出時間設定、抽出温度設定、および／または現在温度を表示および制御するために、制御を特色とする（ｆｅａｔｕｒｅｓ）ディスプレイスクリーン、および／またはボタンを含むことができる。
【００５６】
外部ディスプレイスクリーンには多くのディスプレイ技術が適している。適切な技術は、限定しない例として、液晶ディスプレイ（ＬＣＤ）、薄膜トランジスタ液晶ディスプレイ（ＴＦＴ−ＬＣＤ）、有機発光ダイオード（ＯＬＥＤ）ディスプレイ（単純マトリックス方式ＯＬＥＤ（ＰＭＯＬＥＤ）およびアクティブマトリックス方式ＯＬＥＤ（ＡＭＯＬＥＤ）ディスプレイを含む）の他に、プラズマディスプレイも含む。外部ディスプレイスクリーン上のディスプレイには、多くのタイプの情報が適している。適切な情報は、限定しない例として、ユーザー情報、現在の抽出情報（プロトコル、材料、開始時間、抽出の段階、現在の抽出状態など）、保存された抽出情報、安全情報などを含む。例えば、様々な実施形態では、外部ディスプレイは、流体の温度、抽出プロセスの段階、抽出プロセスに留まる時間、抽出プロセスの経過時間、またはそれらの組み合わせを表示するように構成されている。いくつかの実施形態では、情報は、ユーザーのモバイルまたはデスクトップのコンピューティングデバイス、車両のインダッシュまたはヘッドアップディスプレイ（ＨＵＤ）、および／またはバーチャルリアリティー（ＶＲ）ヘッドセットなどの、ヘッドマウントディスプレイ（ＨＭＤ）のディスプレイスクリーンに映される。
【００５７】
図７Ａは、本技術の携帯用抽出装置（１５０）の実例となる実施形態を示す。装置（１５０）は、記載されるような追加のおよび／または異なるコンポーネントまたは構成を備えた、装置（１００）におけるようなコンポーネントの少なくともいくつかを含むように構築される。装置（１５０）は、装置（１５０）の容器本体（１０１）に取り付け可能な蓋（７１４）を含む。例えば、いくつかの実施形態では、蓋（７１４）は、蓋（７１４）の内部下方にねじ領域を含み、それによって、ねじは、容器本体（１０１）の外部上方でねじ領域の対応するねじと係合し得る。他の実施形態では、蓋（７１４）は、例えば、係止／係止解除のコンポーネントを備えるヒンジ、または他のものなどの別の機構を使用して、容器本体（１０１）に固定可能に係合し得る。装置（１５０）は、抽出キャニスター（１０３）が、装置（１５０）の蓋（７１４）に付けられているモーター（１０８Ｃ）と係合するように構成されている。モーター（１０８Ｃ）は、図１Ａに示される装置（１００）のモーター（１０８）と同じ機能を有するように構成されているが、装置（１５０）の蓋（７１４）の内に収容される。
【００５８】
図７Ａに示される装置（１５０）において構成されるような抽出キャニスター（１０３）の１つの実例となる実施形態では、内部チャンバの一部が、外部チャンバの対応する一部で穴部を通り抜ける突出ノッチを含み、ここで、両方のチャンバのこれらの部分は、互いに接触し、流体および／またはキャニスター（１０３）の内容物が漏れるのを防ぐ。内部キャニスター壁の突出ノッチは、モーター（１０８Ｃ）と連結され、それによって、モーター（１０８Ｃ）は、内部キャニスター壁を外部キャニスター壁に対して回転させる。いくつかの実施形態では、モーター（１０８Ｃ）は、内部チャンバ（１０２）につながり、内部キャニスター壁の突出ノッチに連結する、連結部を含むことができ、例えば、そこで、流体が内部チャンバ（１０２）から漏れるのを防ぐために、内部チャンバ（１０２）のインターフェースおよびモーター（１０８）の連結部が、流体的に密閉される。
【００５９】
本技術の携帯用抽出装置のこの実施形態はまた、データ処理ユニット（１０６）による制御を介してモーター（１１３）によって始動される、スピンすることができるスピニングコンポーネント（１１８）を備える内部チャンバ（１０２）において流体を冷却するための冷却機構を含む。いくつかの実施形態では、スピニングコンポーネント（１１８）は、手動制御によって始動される。図７Ａに示されるスピニングコンポーネント（１１８）の実例となる実施形態は、飲料を撹拌および混合するためにおよび／または飲料の冷却を助けるために、周囲の流体を移動させるように形作られる、いくつかの起こり得る実施形態の１つである。スピニングコンポーネント（１１８）は、大量のスピンする液体および空気（例えば、固定されたときに内部チャンバ（１０２）の上部に由来した）を引き起こし、液体を中心へと引っ張るのに十分速くスピンすることができ、スピンする液体が囲むスピニングコンポーネントの直接上の空間を空気で充填するような角速度を有する。いくつかの実施では、流体のスピニングパターンは、  渦巻きまたは渦に類似している。例えば、渦を作り出すことによって、空気および水の対流が作り出され、これは、空気に暴露される液体の表面積の量を増大させることができる。この強制対流は、液体から空気に移される熱の量を増大させ、それによって飲料を冷却する。流体を冷却する別の方法は、内殻と外殻との間に材料を有し、それによって、材料が、追加の熱に対する親和性により追加の熱を吸収および維持することができる、相変化冷却システムを有することによる方法である。図７Ａに示されていないが、装置（１５０）は、随意に加熱ユニット（１０４）を含む。加熱ユニット（１０４）を含むそのような実施形態では、加熱ユニット（１０４）は、随意に、内部チャンバ（１０２）の下に、または円筒状の内部チャンバ（１０２）に沿って様々な位置に位置付けられ得る。加熱ユニット（１０４）を含む装置（１５０）のそのような実施形態または装置（１００）の実施形態では、デュアルものとして、加熱ユニット（１０４）は、随意に、例えば、ペルチェ装置などの、二重または交互の加熱および冷却のユニットとして構成される。
【００６０】
蓋（７１４）のいくつかの実施形態では、蓋（７１４）は、蓋（７１４）において穴部と位置合わせされるまたは位置合わせされないために回転するようにモーター（１１７）によって自動的に制御され得るかまたは手動で制御され得る、キャップアセンブリ（１１５）を含む。例えば、蓋（７１４）は、モーター（１１７）またはユーザーによる手動の回転を介するキャップアセンブリ（１１５）の回転に基づいて、キャップアセンブリ（１１５）によって覆われ得るおよび覆いが取られ得る、飲用の穴部（ｄｒｉｎｋｉｎｇ  ｈｏｌｅ）を含むことができる。いくつかの実施では、蓋（７１４）は、例えば、通気のための追加の穴部を含むことができる。
【００６１】
図７Ｂは、蓋（７１４）およびキャップアセンブリ（１１５）の平面図を示す一実施形態を示す。キャップアセンブリ（１１５）は、スピニングコンポーネント（１１８）の冷却プロセスを助けるために、空気が装置（１５０）の容器本体（１０１）の内部領域に入るおよびそこから出ることを可能にする、蓋基部（１１５Ｃ）において穴部と位置合わせされ得る２つの穴部（１１５Ｂ）を有している蓋キャップ（１１５Ａ）を含む。例えば、データ処理ユニット（１０６）は、冷却を望ましい温度まで正確に制御するべく流体の流れを通気と同調させるために、モーター（１１３）を介してスピニングコンポーネント（１１８）およびモーター（１１７）を介してキャップアセンブリ（１１５）を調和して制御することができる。いくつかの実施では、穴部は、飲料を飲むために抽出された流体を流し出すために位置合わせされ得る。キャップアセンブリ（１１５）はまた、空気および水が入るかまたは出ることを防ぐために、図７Ｂで例証されるような閉位置にあり得る。
【００６２】
図８は、抽出キャニスター（８０３）の実例となる実施形態を示し、ここで、内部キャニスターは、ユーザーが、キャニスターを洗浄し、新しい茶、コーヒーなどを再充填する必要なく、複数杯分が抽出されることを可能にするために、複数のコンパートメント（例えば２つ以上）を有する。このキャニスターの実施形態は、抽出キャニスターの他の実施形態に類似して、蓋（７１４）にまたは内部チャンバ（１０２）内のいかなる場所にも付けることができる。図８の例に示されるように、抽出キャニスター（８０３）の外部キャニスターは、片側に開口部を有し、これは、流体への１杯分の暴露を可能にし、内部キャニスターがその中心軸まわりを回転しながらも位置が固定されたままであり、それによって、望ましいチャンバを暴露された位置に位置付ける。ドアが外部キャニスターに沿ってスライドし、暴露されたチャンバを密閉し、それによって、流体がチャンバに入るのを阻害する。これによって、各々の具体的なチャンバのひとつずつの制御が可能になる。これは図８に示され、ここで、内部キャニスターは、開位置で異なるチャンバを暴露するために回転され得る（例えば、Ｃ１、Ｃ２、Ｃ３、Ｃ４）。分けられた複数のチャンバのある抽出キャニスターを達成するために、抽出キャニスターの他の実施形態が熟考される。
【００６３】
複数のコンパートメントを有する内部キャニスターには、多くの構成が適している。例えば、様々な限定しない実施形態では、内部キャニスターは、２、３、４、５、６、７、８、またはそれ以上のコンパートメントを含む。例えば、ユーザーが、抽出の間に抽出キャニスターを空にするまたは洗浄する必要なく、複数杯分の飲料の抽出を望むこと、ユーザーが、１つを超える別の飲料の抽出を望むこと、およびユーザーが、１つを超える抽出プロトコル下での飲料の抽出を望むことを含む、様々な用途に、複数のコンパートメントの構成が有用である。これらのシナリオによって、ユーザーは、１日をかけてなど、時間の経過にわたって複数の個人の好みまたは一個人の好みに合わせることが可能になる。いくつかの実施形態では、開口部（いくつかの場合では、穴部または穿孔部）のサイズ、数、構成、および幾何学的形状は、例えば、異なる抽出材料に適応するために、複数のコンパートメントを備える抽出キャニスターの異なるコンパートメントにおいて様々である。
【００６４】
図９Ａは、自動的な、ラベルが付けられた携帯用抽出装置（９００）となるように構成された、携帯用抽出装置（１５０）の実例となる実施形態を示す。装置（９００）は、記載されるような追加のおよび／または異なるコンポーネントまたは構成を備えた、装置（１５０）の実例となる実施形態におけるようなコンポーネントの少なくともいくつかを含む。本例では、装置（９００）は、蓋（９１４）に付けられた抽出キャニスター（１０３）を含み、これは、蓋（９１４）に収容されたモーター（９０８）（例えば下部モーター）によって制御される。抽出キャニスター（１０３）は、例えば、モーター（９０８）および抽出キャニスターアセンブリ（１０３）の内部キャニスターの上部に接続されたシャフトとして図に示された、モーター（９０８）に動作可能に連結された回転可能なアセンブリによって蓋（９１４）に付けられている。装置（９００）は、蓋（９１４）において飲用および／または通気用の穴部（９２１）の位置合わせを制御するモーター（９１７）（例えば上部モーター）を含む。装置（９００）は、本例において内部チャンバ（１０２）の底部領域で位置合わせさられた、スピニング機構（１１８）を含み、ここで、スピニング機構（１１８）は、モーターに動作可能に連結されたパドルを含み、パドルをスピンさせる。装置（９００）は、内部チャンバ（１０２）の外部まわりに巻かれるヒーターを含む加熱ユニット（１０４）を含む。いくつかの例では、加熱ユニット（１０４）は、内部チャンバ（１０２）の下に、または円筒状の内部チャンバ（１０２）に沿って様々な位置に位置付けられ得る。加熱ユニット（１０４）は、例えば、ペルチェ装置などの、二重または交互の加熱および冷却のユニットとして構成され得る。装置（９００）は、データ処理ユニット（１０６）および動力源（１０７）を含む。図９Ａにおける示される装置（９００）の図は、密閉された（閉じた）位置にある、例えば、水が抽出キャニスター（１０３）に流れる／から流れ出るのを防ぐ、抽出キャニスター（１０３）を描写する。図９Ｂは、水がキャニスターに流れ込むことを可能にする開位置の抽出キャニスター（１０３）を描写する装置（９００）の図を示す。
【００６５】
図１０Ａ−図１０Ｃは、ユーザーのコンピューティングデバイス（例えばスマートフォン）上に提供された開示された技術に従ったソフトウェアアプリケーション（ａｐｐ）のユーザーインターフェースディスプレイの実例を示す。アプリケーションは、例えば、抽出パラメータなどの、ユーザーの入力を受信する、および例えば、開示された技術に従った、装置（１００）、装置（１５０）、装置（９００）の様々な実施形態、または抽出装置の他の実施形態などの、抽出装置に命令を送信するために使用され得る。図１０Ａは、ユーザーが抽出装置によって抽出したい茶、コーヒーまたは他の飲料のタイプをユーザーが容易に選択することを可能にするアプリケーションによって提示された、ユーザーインターフェースディスプレイスクリーンの実例を示す。アプリケーションは、ユーザー選択を受信し、抽出装置によって実行される抽出命令を判定するためにこのデータを処理し、抽出命令を装置に自動的に送信する。ユーザーは、アプリケーションを使用して、好きな共通のおよび／またはカスタムの飲料のための保存された設定を作成することができ、これは、図１０Ａに示されるような、実施例「緑茶（Ｇｒｅｅｎ  Ｔｅａ）」、「薄いコーヒー（Ｌｉｇｈｔ  Ｃｏｆｆｅｅ）」、「濃いコーヒー（Ｄａｒｋ  Ｃｏｆｆｅｅ）」および「カスタム（Ｃｕｓｔｏｍ）」によって描写されるように、そのようなカスタム設定への「ショートカット」としてアプリケーションによって提示され得る。いくつかの実施では、ユーザーは、図１０Ａに示されるように、ユーザーインターフェースディスプレイ上に関連する写真を選択することによって、カスタム設定を迅速に選ぶことができ、そこで、アプリケーションは、図１０Ｃに示されるユーザーインターフェースに移行する。
【００６６】
図１０Ｂは、３つの平行線としてアプリケーションによって本例で表わされる、メニューディスプレイを描写するアプリケーションのユーザーインターフェースの実例を示す。例えば、ユーザーは、メニューボタン（例えば３つの平行線）を押して、自身のプロフィール、注文、申し込み状況、保存したカスタム抽出設定、または一般的な設定にアクセスすることができる。例えば、ユーザーは、メニューボタンを選択して、自身の好ましいプロフィール設定を変更することができ、結果としてディスプレイスクリーンが図１０Ａから図１０Ｂに移行する。プロフィール設定は、飲料の各タイプに対する望ましい飲用温度の他に、飲料のタイプの各々に対するユーザー定義またはデフォルト定義の設定を含むことができる。例えば、ユーザーのプロフィールでは、ユーザーは、緑茶に対するデフォルト温度（例えば、華氏１８０度など）の代わりに華氏１７５度で抽出温度を選択することができる。同様に、例えば、ユーザーのプロフィールでは、ユーザーは抽出時間も修正する。本例では、ユーザーのプロフィールにおける華氏１７５度までの抽出温度の変更によって、図１０Ａに示される緑茶のショートカットによってアクセス可能な緑茶抽出が変更される。
【００６７】
アプリケーションから、ユーザーは、自身の飲料の申し込み状況を管理するまたは飲料材料（例えば、コーヒー、茶など）をオンラインで注文することができ、例えば、そこでユーザーの装置上で動作可能なアプリケーションは、望ましい飲料材料を購入するためにベンダーシステムと通信しているクラウドサーバーと通信状態にある。ユーザー装置上のアプリケーションがクラウドサーバーと通信状態にある実施において、アプリケーションが、注文する飲料材料のタイプ／量などの情報をクラウドに送るため、例えば、ユーザーがいつ飲料を使い果たすかを認識し、使い果たす前にさらに飲料材料を自動的に注文するために、使用されたおよび／または注文された飲料の記録を、クラウドサーバー（および／またはアプリケーション）上に保存することができる。本例の特徴は、例えば、アプリケーション上に設定された、定期注文（ｓｕｂｓｃｒｉｐｔｉｏｎ）または１回の発注（ｏｎｅ  ｔｉｍｅ  ｏｒｄｅｒ  ｐｌａｃｅｍｅｎｔ）として管理され得る。
【００６８】
図１１Ａおよび図１１Ｂは、装置（９００）の蓋（９１４）の実例となる実施形態を示す。図１１Ａは、蓋キャップ（９１５Ａ）の下に配された蓋基部（９１５Ｃ）における開口部と位置合わせされるおよび位置合わせされない１つ以上の穴部（９１５Ｂ）を有する蓋キャップ（９１５Ａ）を含む蓋（９１４）の実施形態を示す。例えば、蓋キャップ（９１５Ａ）の穴部（９１５Ｂ）が、基礎的な蓋基部（９１５Ｃ）の開口部に対して位置合わせされていない位置に回されるとき、蓋（９１４）はそれ故、流体がマウスピースまたはディスペンサーから装置を出ることを防ぐ。図１１Ａおよび図１１Ｂに示される蓋（９１４）の例は、ユーザーが特定の実施形態に従って蓋キャップ（９１５Ａ）を手動で回すことができるグリップまたはハンドルのコンポーネントを含む。
【００６９】
図１１Ｂは、蓋（９１４）の実施形態を示し、ここで、蓋キャップ（９１５Ａ）の１つ以上の穴部（９１５Ｂ）は、基礎的な蓋基部（９１５Ｃ）の開口部と並んだ位置に回され、それ故、流体（例えば、抽出飲料）を、例えば、装置（９００）の内部チャンバ（１０２）から蓋（９１４）を通って分注することが可能になる。
【００７０】
図１２のＡ−Ｄは、砂糖およびミルクのような物質を保存することができ、本技術に従って携帯用抽出装置の様々な実施形態に取り付け可能な、蓋（１２１４）の実例となる実施形態を示す。蓋（１２１４）は、例えば、ミルクおよび砂糖などの、ユーザーが飲料へと加えることができる物質を保持することができる側面上の２つのリザーバーを含む。いくつかの実施形態では、蓋（１２１４）は、データ処理ユニット（１０６）からの制御によって、例えば、モーターを介して物質を飲料へと自動的に分注するように構成され得る。いくつかの実施形態では、蓋（１２１４）は、例えば、図１１Ａおよび図１１Ｂに示されるグリップまたはハンドルのコンポーネントなどのグリップまたはハンドルを介して、例えば、ユーザーからの手動制御によって、物質を飲料へと手動で分注するように構成され得る。
【００７１】
図１２のＡは、基礎的な蓋部分の中実部に位置合わせされた１つ以上の穴部（１２０５）を有するキャップアセンブリを含む蓋（１２１４）を示し、これによって、蓋（１２１４）は、流体を蓋（１２１４）を通って分注することができないように閉じられる。キャップアセンブリは、キャップアセンブリにおける１つ以上の穴部（１２０５）が、蓋（１２１４）における内部リザーバーに対する開口部と位置合わせされるようになるように、図１２のＢに示される位置に右回りに回され得る。リザーバーは、例えば、望まれるときに、携帯用抽出装置のユーザーが、例えば、リザーバーから直接、抽出飲料に加えることができるミルクおよび砂糖などの物質を保存するために提供される。図１２のＢに示されたるキャップアセンブリは、図１２のＣに示される別の位置に右回りに回され得、それによって、キャップアセンブリにおける１つ以上の穴部（１２０５）は、例えば、流体が蓋（１２１４）を通り抜けるためのマウスピースまたはディスペンサーとして作用することができる、基礎的な蓋部分における飲用および／または通気用の穴部と位置合わせされるようになる。
【００７２】
図１２のＤは、リザーバーの底に位置するリザーバーのための制御されたディスペンサー（１２１０）（例えば、ソレノイド、バルブなど）を示し、これは、蓋（１２１４）が付けられたときに、リザーバーに保持された物質の、例えば、装置（９００）の内部チャンバ（１０２）において含有された流体への放出を制御することができる。制御されたディスペンサー（１２１０）は、抽出プロトコルの一部として物質の分注を操作するために、携帯用抽出装置のデータ処理ユニット（１０６）と通信するように構成され得る。例えば、これによって、飲料と混合する正確な量のミルクおよび砂糖の自動的な分注が可能になり、これは、アプリケーションを介してユーザーの装置によって制御され、代表を使用する設定としてユーザーによってプログラムされ得る。
【００７３】
図１３Ａは、抽出プロトコルを制御するために携帯用抽出装置（９００）に抽出命令を送るユーザーのスマートフォン上で動作するアプリケーションの実例を示す。本例では、アプリケーションは、飲料に対するユーザーの好ましい設定に対応する（および／または命令を装置（９００）に自動的に送るタイマーの設定による）、表示されたユーザーインターフェースの一部を選択するユーザーから入力を受信する。この機能性によって、ユーザーは、抽出手順の開始が望まれるまで、流体が飲料材料と相互作用しないように、閉位置にある間に飲料材料（例えば、茶、コーヒーなど）を装置（９００）の抽出キャニスター（１０３）に入れ、流体（例えば水）を装置（９００）の内部チャンバ（１０２）に加えることが可能になる。これによって、ユーザーは、装置（９００）が抽出プロセスを開始する前に、望ましい時間に抽出を待って開始することができる。これによって、飲料材料が内部チャンバ（１０２）において流体から抽出キャニスター（１０３）に密閉されると、抽出キャニスター（１０３）が、内部チャンバ（１０２）に含有された流体において沈められているにもかかわらず、新鮮な飲料をタイマーに基づいて作ることができる。例えば、ユーザーは、内部チャンバ（１０２）中の水とともにコーヒーまたは茶を抽出キャニスター（１０３）に入れることができ、ここで、抽出キャニスター（１０３）は一晩沈められ、装置（９００）は、アプリケーションを介して、具体的な時間に装置（９００）に（例えば、選択された抽出パラメータとともに）抽出プロトコルを送るようにプログラムされるか、または前もって送ようにプログラムされ、その場合、装置（９００）のデータ処理ユニット（１０６）は、望ましい時間に抽出プロセスを開始するための内部タイマーを有するだろう。ユーザーは、それによって、例えば、タイマーが、ユーザーが目を覚ますまでに終了するようにプログラムされ得るため、ユーザー装置または装置（９００）自体上のアプリケーションのいずれとも相互作用することなく、目覚めたときに装置（９００）における新鮮に抽出されたコーヒーを飲むことができる。
【００７４】
図１３Ｂは、典型的なクラウドベースのシステムを示す。このシステムでは、抽出サービスプラットフォームサーバー（例えば、ＴＥＡｎＧＯプラットフォームサーバー）が、本明細書に記載される、モバイルアプリケーション（ａｐｐ）などの、消費者向け抽出アプリケーションと通信している。抽出装置は、アプリケーションが随意に抽出プロトコル情報を装置に送り、装置が随意に抽出ステータス情報をアプリケーションに送るように、消費者向け抽出アプリケーションと双方向無線通信状態にある。さらに、このシステムでは、抽出サービスプラットフォームサーバーは、随意に、コーヒーまたは茶のベンダーのサーバーなどの、第三者のサーバーと通信する。第三者のサーバーは、例えば、随意に、抽出材料および供給品の好適な注文を含む、電子商取引の特徴を提供する。
【００７５】
本技術の携帯用抽出装置のいくつかの実例となる実施形態に従って、携帯用抽出装置は、以下のように動作される。いくつかの動作では、例えば、ユーザーは、飲料材料（以下の例において茶）を抽出キャニスター（１０３）へと挿入することができる（例えば、茶を抽出するための装置の使用のかなり前を含む、装置の使用前のいかなる時にも）。茶が、図５Ａに示されるようなキャニスター（１０３）上の閉められたキャップまたは蓋とともに、抽出キャニスター（１０３）の内部キャニスターへと挿入されると、内部キャニスターは、内部領域（１０２）における抽出キャニスター（１０３）の外部キャニスターの内部に入れることができ、例えば、ここで、開口部が位置合わせされずに、それ故、水に対して閉鎖されているように、デフォルト位置は閉位置にある。その後、ユーザーは、水を内部領域（１０２）へと加えることができる。この時点で、ユーザーは、装置を持ち運ぶか、または後の使用時のためにそのままにしておくことができる。ユーザーは、茶を抽出したいときに、水を加熱し、抽出キャニスター（１０３）への水の拡散、および茶から、キャニスター（１０３）の開口部を通って内部領域（１０２）へと拡散可能な水への化合物の抽出を可能にするように装置を動作させることができる。例えば、いくつかの実施では、ユーザーは、予め決められたプログラムを選択することができ、その予め決められたプログラムに従って、加熱ユニット（１０４）、温度センサー（１０５）、およびモーター（１０８）を起動させるようにデータ処理ユニット（１０６）を開始させることができる。いくつかの実施では、例えば、ユーザーは、外部装置（例えば、スマートフォン、タブレット、またはウェアラブルデバイスなど）を介して、または装置上の手入力によってプログラムを選択することができる。例えば、プログラムは、例えば、特定の抽出温度まで加熱する、特定の抽出持続時間に基づいてキャニスターを開ける／閉じる、および／または抽出後に特定の保持温度を維持するなどの、特定タイプの茶の特定の抽出パラメータに基づいて動作する装置のコンポーネントを制御する命令を含むことができる。代替的にまたは加えて、例えば、プログラムは、特定の抽出温度まで加熱する、最適な抽出特性を得るために（例えば、渦を形成し得る）スピニングによって流体を同時に撹拌しながら特定の抽出持続時間に基づいてキャニスターを開ける／閉める、冷却機構の１つによって流体を冷却するために、装置のコンポーネントを制御する命令を含むことができる。例えば、予め決められたプログラムが起動されると、温度センサー（１０５）は、抽出温度を達成するために（例えば、データ処理ユニット（１０６）によって処理された）加熱ユニット（１０４）に使用されるフィードバックデータを提供する。例えば、抽出温度が達成されると、キャニスター（１０３）は、モーター（１０８）によって開位置に移動され、それによって、水が入って、内部チャンバ（１０２）への茶の拡散のための抽出が可能になり、およびいくつかの実施では、スピニングコンポーネント（１１８）がスピンして、抽出のために水を撹拌および混合することができる。キャニスター（１０３）の手動操作による実施では、例えば、温度がユーザーがキャニスター（１０３）を開閉する適切なレベルになったときにユーザーに通知するために、温度または警告の表示が装置によって提供され得る。例えば、全体的な抽出時間が達成されると、キャニスター（１０３）は水から閉鎖され、茶は飲用温度に達すると摂取され得る。加熱ユニット（１０４）は、温度センサー（１０４）からのフィードバックによってこの飲用温度を維持することができる。いくつかの実施では、例えば、茶は、飲用温度を達成するために、内部領域（１０２）において茶を活発に冷却する（例えば、ボルテックス、ペルチェなど）またはその冷却を受動的に可能にすることができる。
【００７６】
図１４のＡおよびＢは、抽出キャニスターを移動させるモーターと相互作用する回転機構（１４２０）に抽出キャニスターを取り付けるための連結アセンブリの一例を示す。連結アセンブリは、キャニスター（例えば内部キャニスター）に連結されたシャフト（１４０６）を含み、そこでシャフトは、回転機構（１４２０）とインターフェースするためにシャフトの遠位端でコネクターのコンポーネント（１４１０）または特徴を提供する。連結アセンブリの回転機構（１４２０）は、モーターに動作可能に取り付けられ、それによって、モーターは、モーターによって制御される方法で、回転機構（１４２０）を回転させる。図１４のＡに示されるように、抽出キャニスターは、回転機構（１４２０）から取り外されたシャフト（１４０６）を有し、ここでコネクターコンポーネント（１４１０）は、コネクターコンポーネント（１４１０）を受けるように構築された回転機構（１４２０）の開口部に近接している。コネクターコンポーネント（１４１０）は、回転機構（１４２０）内に挿入されると、ロック位置で設定され得、それによって、シャフト（１４０６）は、回転機構（１４２０）に可逆的にではあるがロック可能に挿入される。図１４のＢでは、キャニスターコネクター（１４１０）は、抽出キャニスターが、押し出されない限り落ちたり移動したりしないように、ロック位置に挿入され、入れられて示される。本実施形態では、キャニスターは、回転機構（１４２０）を自由空間へと押し上げて、９０度回転させることによって、回転機構（１４２０）から取り外される。回転機構（１４２０）がモーターまたは手動操作によって移動可能であるため、キャニスターは、ロック位置に入れられるときに、キャニスターの回転の正確な制御を可能にする。キャニスターが回転機構（１４２０）内で移動することができない、例えば、回転機構において自由な動きをほとんどしないため、キャニスターが回転機構（１４２０）により直接回転することが要因で、ロック位置は、回転のこの正確な制御を可能にする。これによって、モーターまたは手動操作は、装置が開位置（例えば、密閉されていない）または閉位置（例えば、密閉された）にあるときに調整するために、キャニスターの回転を制御することが可能となる。
【００７７】
図１５は、モーターまたは手動操作の機構に抽出キャニスターを直接的ではあるが可逆的に取り付けるための連結アセンブリの別の例を示す。連結機構のこの実例となる実施形態では、キャニスターのシャフト（１５０６）は、随意に、滑りにより引き起こされた間接的な回転を防ぐために、溝部（１５０８）を含む。さらに、いくつかの実施形態では、連結機構は、シャフト（１５０６）をモーターに確実に接続するおよびキャニスターが不要に切り離されないように維持するために、モーターに配置された磁石と磁気的に相互作用するシャフト（１５０６）の端部に付取り付けられた磁石（１５２８）を含む。本実施形態では、シャフト（１５０６）がモーターへと挿入されると、磁石は、これらの２つの部品を一緒に維持し、モーターが正確にキャニスターを直接回転させることを可能にする。これは、キャニスターが開位置（例えば、密閉されていない）または閉位置（例えば、密閉された）にあるときに制御するキャニスターの回転を正確に制御するために、キャニスターのシャフト（１５０６）が、随意に手動操作のためのモーターまたは機構に接続される方法の典型的な実施形態である。
【００７８】
図１６のＡおよびＢは、モーターまたは回転の他の手段と相互作用する、回転機構に抽出キャニスターを取り付けるためのオプションのさらに別の例を提供する。図１６のＡでは、シャフト（１６０６）は、モーターからキャニスターに伸長され、キャニスターに連結されたコネクターコンポーネント（１６１０）に可逆的に取り付けるためのシャフト（１６０６）の端部に回転機構（１６２０）が提供される。コネクターは抽出キャニスターから伸長される。図１６のＢでは、コネクターは、回転機構（１６２０）へと挿入され、図１４のＢに類似したロック位置へと回されて示されている。これは、図１４のＢと同じ結果を達成し、ここでキャニスターは、回転機構（１６２０）にロックされ、モーターが、直接キャニスターの回転を制御する回転機構（１６２０）の回転を正確に制御することを可能にする。この制御は、キャニスターが開位置（例えば、密閉されていない）または閉位置（例えば、密閉された）にあるときに行われる。例えば、図１４のＡおよびＢと比べた本実施形態の利点は、シャフト（１６０６）が装置にとどまり、キャニスターが長尺シャフトなしで取り外されることにある。本実施形態によって、キャニスターの高さをより低くすることができ、取り扱いがより容易となり、且つ保存がより容易となる。
【００７９】
図１７は、シャフトをキャニスターに接続することなく、モーターまたは手動の回転手段に抽出キャニスターを取り付けるためのオプションの別の例をさらに示す。抽出キャニスターは、滑りによって引き起こされ得る間接的な回転を防ぐ溝部（１７０８）と、モーターに接続されるシャフト（１７０６）からキャニスターが外れるのを防ぐ磁石（１７２８）とを随意に備える。この実施形態では、キャニスターはシャフト（１７０６）へ挿入され、ここで、磁石は相互に作用し、２つの部品を接続させ、および、モーターにキャニスターを正確に直接回転させることで、キャニスターがいつ図１５に類似する開（例えば、開封された）位置あるいは閉（例えば、密閉された）位置にくるかを制御する。例えば、この実施形態の利点は、シャフト（１７０６）がデバイスに残るということと、キャニスターを挿脱するために１つの方向に加えられる力を必要とするのが１つのステップであるため、回転機構を使用するよりも簡単にキャニスターが挿脱されることである。この実施例は、キャニスターの高さを抑え、取り扱いを容易にし、保存しやすくする。
【００８０】
図１８Ａおよび１８Ｂは、抽出キャニスターの２つの異なるバージョンの例となる実施形態を示しており、その違いは穴部の数と大きさである。図１８Ａは図１８Ｂよりも穴部が少なく穴部の大きさが大きな実施形態であり、図１８Ｂは穴部がより多く、穴部の大きさが小さい実施形態である。抽出キャニスターは、限定されないが、パラメータ：穴部の位置、穴部の大きさ、穴部の数、および穴部の幾何学的形状の変化を含む、多くの異なるバージョンの形式で適切に供給される。こうしたパラメータを変えることで、キャニスターを、所望の結果に応じて特定の種類の抽出材料に最適なようにすることができる。
【００８１】
多くの穴部の大きさは様々な望ましいろ過および流体の流れ特性を達成するのに適している。非限定的な例として、適切な穴部の大きさは、０．５、１、２、３、４、５、６、７、８、９、１０、１５、２０、２５、３０、３５、４０、４５、５０、５５、６０、６５、７０、７５、８０、８５、９０、１００マイクロメートルと、これらの間の増分を含む。非限定的な例として、適切な穴部の大きさは、１００、１５０、２００、２５０、３００、３５０、４００、４５０、５００、５５０、６００、６５０、７００、７５０、８００、８５０、９００、９５０、および１０００マイクロメートルと、これらの間の増分を含む。非限定的な例として、適切な穴部の大きさは、０．２５、０．５、０．７５、１、１．２５、１．５、１．７５、２、２．２５、２．５、２．７５、および３ミリメートルと、これらの間の増分を含む。多くの穴部の幾何学的形状は様々な望ましいろ過および流体の流れ特性を達成するのに適している。非限定的な例として、適切な穴部の幾何学的形状は、円形、長方形、正方形、三角形、不規則形状、長方形、星形などである。いくつかの実施形態では、内部キャニスターと外部キャニスターの穴部は、数、間隔、大きさ、および／または形の点で一致する（例えば、同じであるか類似している）。他の実施形態では、内部キャニスターと外部キャニスターの穴部は、数、間隔、大きさ、および／または形の点で少なくともある程度は異なる。
【００８２】
例として、図１８Ａのような大きな穴部を含むキャニスターは、穴部がルーズリーフ茶葉よりも小さいため、ルーズリーフ茶葉が内部チャンバに入るのを防ぐフィルターとして働くことから、ルーズリーフ茶葉を保持するために最適化されている。いくつかの実施例では、穴部は１０マイクロメートルから１．５ミリメートルの直径を持つように構成される。
【００８３】
さらなる例として、穴部の大きさがコーヒー粉よりも小さな、図１８Ｂのような非常に小さな多くの穴部を含むキャニスターでは、コーヒー粉はキャニスターに入るが、コーヒー粉が内部チャンバに入らないようにされる。いくつかの実施形態では、穴部は１マイクロメートルから０．５ミリメートルの直径を持つように構成される。
【００８４】
本明細書に記載された主題の範囲はキットを含んでいる。キットは本明細書で記載されるような携帯用抽出装置と、１セットのキャニスターなどの複数の交換可能な抽出キャニスターとを含む。キャニスターのセットは、所望の抽出飲料の品質を達成するべく、抽出材料のろ過の程度、流体の抽出キャニスターへの／からの出入りなどを制御するために、微調整式の穴部の数、穴部の大きさ、穴部の間隔、および穴部の幾何学的形状によって最適化されたキャニスターを含む。さらに、キャニスターあるいはキャニスターのセットは、抽出材料がキャニスターあるいはキャニスター領域を出て、抽出キャニスターが配置されているチャンバの内部に入るのを防ぐために組み立てられる。
【００８５】
図１９は抽出パラメータを例証する略図であり、これは変化すると抽出飲料の特質を修正する。図１９は、濃さ（例えば可溶性の濃度）と抽出（例えば可溶性の収率）における変化が、考慮された抽出比とともにどのように結果に影響を与えるかを例証する。例えば、抽出飲料の可溶性の収率割合が高い（例えば２４パーセント）場合、それは苦い飲料になるであろう。抽出飲料の可溶性の収率割合が低い（例えば１５パーセント）場合、それは抽出が不十分な飲料になるであろう。その中間の可溶性の収率割合（例えば２０パーセント）で、抽出飲料は最適なバランスにあるであろう。濃さにも同じことが言え、低割合では薄く、高割合では濃く、中間の割合が理想的となる。１リットル当たりのグラムで表現される抽出比は、抽出飲料が略図のどの象限に入るかに影響を与え、例えば、それが最適な濃さになる前では、１リットル当たり４０グラムだと非常に苦くなり、それが十分に抽出されるようになる前では、１リットル当たり９０グラムだと非常に濃くなり、および１リットル当たり５５グラムだと薄いか抽出が不十分であり、あるいは理想的であるか最適なバランスであり、あるいは濃いか苦い。
【００８６】
図１９は、抽出飲料の異なる結果を達成する方法を例証するが、象限のサイズおよび範囲は、線の傾斜および交差と同様に、飲料が異なれば変化する。飲料のグラフに影響する因子は温度、抽出時間、同様に水の移動などの他の因子を含む。流体の温度は、抽出材料中の化合物が可溶化する速さに影響する。異なる化合物は異なる速度で可溶化する。例えば、カフェインは、ゆっくりと可溶化するコーヒー中の揮発油と比較すると非常に早く可溶化するが、有機酸は揮発油よりもさらにゆっくりと可溶化する。異なる抽出材料は異なる化合物を有しており、温度がこうした化合物の溶解速度に影響を与えるため、温度は流体中の化合物のレベルに対する効果を有する。それぞれの化合物が時間プロフィールに対するある量の化合物を有しているため、抽出時間は各化合物の抽出のレベルに影響を与える。水の循環は、こうした化合物の濃度こう配を高め、より多くの化合物をより短い時間に抽出させることになることから、水の循環も抽出された化合物の量に対して効果を有する。こうしたパラメータは、抽出材料の種類に応じて飲料が分類される図１９の象限を決定する。ユーザーが異なれば、飲料に応じた図１９のグラフ上の点についても好みが異なることもある。例えば、あるユーザーは濃いが抽出は不十分なタイプを好むこともあれば、濃くて苦いコーヒーを楽しむユーザーもいる。こうした好みにより、ユーザーは何が最適な飲料だと思うか決めることができる。これは、特定の飲料について最適なパラメータは何かという見解についての差を生み出す。例えば、華氏１７５度、８オンスで大さじ１．５杯、および５分が白茶にとって最適な温度、量、および抽出時間であると信じる人もいれば、華氏１６０度、８オンスで大さじ１．５杯、および３分が白茶にとって最適な温度、量、および抽出時間であると信じる人もいる。したがって、材料の量、温度、抽出時間、およびを水の循環を正確に制御することで、どのユーザーにも自らが最適な飲料であると信じるものを完成させる能力を与える。本明細書に記載される抽出キャニスターは、特定の量の抽出材料を保持し、抽出する際に正確に制御し、および、どれくらいの時間抽出するのかを正確に制御するために設計される。さらに、スピニング機構によって実現される水の循環と組み合わせて、ユーザーは自分がどの種類の飲料でも望む結果を達成することができる。デジタル処理装置
【００８７】
いくつかの実施例では、本明細書に記載されるプラットフォーム、システム、媒体、および方法は、デジタル処理装置、あるいはその使用を含む。さらなる実施形態では、デジタル処理装置は、装置の機能を実行する１つ以上のハードウェア中央処理装置（ＣＰＵ）あるいは汎用グラフィック処理装置（ＧＰＧＰＵ）を含んでいる。またさらなる実施形態では、デジタル処理装置は、実行可能な命令を行うように構成された操作オペレーティングシステムをさらに含む。いくつかの実施形態では、デジタル処理装置は随意に接続されたコンピュータネットワークである。さらなる実施形態では、デジタル処理装置はワールド・ワイド・ウェブにアクセスするようにインターネットに随意に接続される。またさらなる実施形態では、デジタル処理装置は、クラウド・コンピューティング・インフラストラクチャーに随意に接続される。他の実施形態では、デジタル処理装置は、イントラネットに随意に接続される。他の実施形態では、デジタル処理装置は、データ記憶装置に随意に接続される。
【００８８】
本明細書の記載に従って、適切なデジタル処理装置は、非限定的な例として、サーバコンピュータ、デスクトップコンピュータ、ラップトップコンピュータ、ノート型コンピュータ、サブノート型コンピュータ、ネットブックコンピュータ、ネットパッドコンピュータ、セットトップコンピュータ、メディアストリーミングデバイス、ハンドヘルドコンピュータ、インターネット家電、モバイルスマートフォン、タブレットコンピュータ、携帯情報端末、ビデオゲーム機、および伝達手段を含んでいる。当業者は、多くのスマートフォンが、本明細書に記載されるシステムでの使用に適していることを認識するであろう。当業者は、随意のコンピュータネットワーク接続を有する、選択されたテレビ、ビデオプレーヤー、およびデジタル音楽プレーヤーが、本明細書に記載されるシステムにおける使用に適していることを認識するであろう。適切なタブレットコンピュータは、当業者に既知のブックレット、スレート、および変換可能な構成を有するものを含む。
【００８９】
いくつかの実施例では、デジタル処理装置は、実行可能な命令を実行するように構成されたオペレーティングシステムを含んでいる。オペレーティングシステムは、例えば、装置のハードウェアを制御し、アプリケーションの遂行のためのサービスを提供する、プログラムおよびデータを含むソフトウェアである。当業者は、適切なサーバーオペレーティングシステムが、非限定的な例として、ＦｒｅｅＢＳＤ、ＯｐｅｎＢＳＤ、ＮｅｔＢＳＤ（登録商標）、リナックス（登録商標）、Ａｐｐｌｅ（登録商標）Ｍａｃ  ＯＳ  Ｘ  Ｓｅｒｖｅｒ（登録商標）、Ｏｒａｃｌｅ（登録商標）Ｓｏｌａｒｉｓ（登録商標）、Ｗｉｏｄｏｗｓ  Ｓｅｒｖｅｒ（登録商標）、およびＮｏｖｅｌｌ（登録商標）ＮｅｔＷａｒｅ（登録商標）を含むことを認識する。当業者は、適切なパソコンオペレーティングシステムが、非限定的な例として、Ｍｉｃｒｏｓｏｆｔ（登録商標）Ｗｉｎｄｏｗｓ（登録商標）、Ａｐｐｌｅ（登録商標）Ｍａｃ  ＯＳ  Ｘ（登録商標）、ＵＮＩＸ（登録商標）、およびＧＮＵ／Ｌｉｎｕｘ（登録商標）などのＵＮＩＸ（登録商標）のようなオペレーティングシステムを含むことを認識する。いくつかの実施形態において、オペレーティングシステムは、クラウドコンピューティングによって提供される。当業者は、適切なモバイルスマートフォンオペレーティングシステムが、非限定的な例として、Ｎｏｋｉａ（登録商標）Ｓｙｍｂｉａｎ（登録商標）ＯＳ、Ａｐｐｌｅ（登録商標）ｉＯＳ（登録商標）、Ｒｅｓｅａｒｃｈ  ｉｎ  Ｍｏｔｉｏｎ（登録商標）ＢｌａｃｋＢｅｒｒｙ  ＯＳ（登録商標）、Ｇｏｏｇｌｅ（登録商標）Ａｎｄｒｏｉｄ（登録商標）、Ｍｉｃｒｏｓｏｆｔ（登録商標）Ｗｉｎｄｏｗｓ  Ｐｈｏｎｅ（登録商標）ＯＳ、Ｍｉｃｒｏｓｏｆｔ（登録商標）Ｗｉｎｄｏｗｓ  Ｍｏｂｉｌｅ（登録商標）ＯＳ、Ｌｉｎｕｘ（登録商標）、およびＰａｌｍ（登録商標）ＷｅｂＯＳ（登録商標）を含むことを認識する。当業者は、適切なメディアストリーミング装置オペレーティングシステムが、非限定的な例として、Ａｐｐｌｅ  ＴＶ（登録商標）、Ｒｏｋｕ（登録商標）、Ｂｏｘｅｅ（登録商標）、Ｇｏｏｇｌｅ  ＴＶ（登録商標）、Ｇｏｏｇｌｅ  Ｃｈｒｏｍｅｃａｓｔ（登録商標）、Ａｍａｚｏｎ  Ｆｉｒｅ（登録商標）、およびＳａｍｓｕｎｇ（登録商標）  ＨｏｍｅＳｙｎｃ（登録商標）を含むことも認識するであろう。当業者は、適切なビデオゲーム機のオペレーティングシステムが、非限定的な例として、Ｓｏｎｙ（登録商標）ＰＳ３（登録商標）、Ｓｏｎｙ（登録商標）ＰＳ４（登録商標）、Ｍｉｃｒｏｓｏｆｔ（登録商標）Ｘｂｏｘ  ３６０（登録商標）、Ｍｉｃｒｏｓｏｆｔ  Ｘｂｏｘ  Ｏｎｅ、Ｎｉｎｔｅｎｄｏ（登録商標）Ｗｉｉ（登録商標）、Ｎｉｎｔｅｎｄｏ（登録商標）Ｗｉｉ  Ｕ（登録商標）、およびＯｕｙａ（登録商標）を含むことも認識するであろう。
【００９０】
いくつかの実施形態では、装置は記憶装置および／またはメモリ装置を含んでいる。記憶装置および／またはメモリ装置は、一時的または永久的にデータまたはプログラムを記憶するために使用される１つ以上の物理的な機器である。いくつかの実施形態において、装置は揮発性メモリであり、記憶した情報を維持するための電力を必要とする。いくつかの実施形態において、装置は不揮発性メモリであり、デジタル処理装置に電力が供給されないときに記憶した情報を保持する。さらなる実施形態において、不揮発性メモリはフラッシュメモリを含む。いくつかの実施形態において、不揮発性メモリは、ダイナミックランダムアクセスメモリ（ＤＲＡＭ）を含む。いくつかの実施形態において、不揮発性メモリは、強誘電体ランダムアクセスメモリ（ＦＲＡＭ（登録商標））を含む。いくつかの実施形態において、不揮発性メモリは、相変化ランダムアクセスメモリ（ＰＲＡＭ）を含む。他の実施形態において、装置は、非限定的な例として、ＣＤ−ＲＯＭ、ＤＶＤ、フラッシュメモリ装置、磁気ディスクドライブ、磁気テープドライブ、光ディスクドライブ、およびクラウドコンピューティングベースの記憶装置を含む記憶装置である。さらなる実施形態において、記憶装置および／またはメモリ装置は、本明細書に開示されるものなどの装置の組み合わせである。
【００９１】
いくつかの実施例では、デジタル処理装置は、ユーザーへ視覚情報を送るためのディスプレイを含む。いくつかの実施形態において、ディスプレイは液晶ディスプレイ（ＬＣＤ）である。さらなる実施形態において、ディスプレイは薄膜トランジスタ液晶ディスプレイ（ＴＦＴ−ＬＣＤ）である。いくつかの実施形態において、ディスプレイは、有機発光ダイオード（ＯＬＥＤ）ディスプレイである。様々なさらなる実施形態において、ＯＬＥＤディスプレイは、単純マトリックス方式ＯＬＥＤ（ＰＭＯＬＥＤ）またはアクティブマトリックス方式ＯＬＥＤ（ＡＭＯＬＥＤ）のディスプレイである。いくつかの実施形態において、ディスプレイはプラズマディスプレイである。他の実施形態において、ディスプレイはビデオプロジェクターである。さらに他の実施形態では、ディスプレイは、ＶＲヘッドセットなどのデジタル処理装置と通信するヘッドマウンドディスプレイである。さらなる実施形態では、適切なＶＲヘッドセットとしては、非限定的な例として、ＨＴＣ  Ｖｉｖｅ、Ｏｃｕｌｕｓ  Ｒｉｆｔ、Ｓａｍｓｕｎｇ  Ｇｅａｒ  ＶＲ、マイクロソフトＨｏｌｏＬｅｎｓ、Ｒａｚｅｒ  ＯＳＶＲ、ＦＯＶＥ  ＶＲ、Ｚｅｉｓｓ  ＶＲ  Ｏｎｅ、Ａｖｅｇａｎｔ  Ｇｌｙｐｈ、Ｆｒｅｅｆｌｙ  ＶＲヘッドセットなどが挙げられる。またさらなる実施形態において、ディスプレイは、本明細書に開示されるものなどの装置の組み合わせである。
【００９２】
いくつかの実施形態では、デジタル処理装置は、ユーザーから情報を入手するための入力装置を含む。いくつかの実施形態において、入力装置はキーボードである。いくつかの実施形態において、入力装置は、非限定的な例として、マウス、トラックボール、トラックパッド、ジョイスティック、ゲームコントローラ、またはスタイラスを含むポインティング装置である。いくつかの実施形態において、入力装置はタッチスクリーンまたはマルチタッチスクリーンである。他の実施形態において、入力装置は、声または他の音入力を捕らえるマイクロホンである。他の実施形態では、入力装置は、動作入力または視覚入力を捉えるためのビデオカメラあるいは他のセンサーである。さらなる実施形態において、入力装置はＫｉｎｅｃｔ、Ｌｅａｐ  Ｍｏｔｉｏｎなどである。またさらなる実施形態において、入力装置は本明細書に開示されるものなどの装置の組み合わせである。
【００９３】
非一時的なコンピュータ読み取り可能な記憶媒体
いくつかの実施例では、本明細書に開示されるプラットフォーム、システム、媒体、および方法は、随意にネットワーク化されたデジタル処理装置のオペレーティングシステムによって実行可能な命令を含むプログラムでエンコードされた１つ以上の非一時的なコンピュータ読み取り可能な記憶媒体を含む。さらなる実施形態では、コンピュータ読み取り可能な記憶媒体はデジタル処理装置の触れることのできる構成要素である。またさらなる実施形態では、コンピュータ読み取り可能な記憶媒体は、デジタル処理装置から随意に除去可能である。いくつかの実施形態では、コンピュータ読み取り可能な記憶媒体は、非限定的な例として、ＣＤ−ＲＯＭ、ＤＶＤ、フラッシュメモリ装置、ソリッドステート記憶装置、磁気ディスクドライブ、磁気テープドライブ、光ディスクドライブ、クラウドコンピューティングシステムおよびサービスなどを含む。場合によっては、プログラムと命令は媒体上で永久に、実質的に永久に、半永久に、または非一時的に符号化される。
【００９４】
コンピュータプログラム
いくつかの実施形態では、本明細書で開示されるプラットフォーム、システム、媒体、および方法は、少なくとも１つのコンピュータプログラム、あるいはその使用を含む。コンピュータプログラムは、デジタル処理装置のＣＰＵで実行可能であるとともに特定のタスクを実行するために書き込まれる、一連の指示を含む。コンピュータ読み取り可能な命令は、特定のタスクを行うか、または特定の抽出データタイプを実行する、機能、オブジェクト、アプリケーションプログラミングインターフェース（ＡＰＩ）、データ構造などのプログラムモジュールとして実行されることもある。本明細書で提供される開示に照らして、当業者は、コンピュータプログラムが様々な言語の様々なバージョンで書き込まれてもよいことを認識するであろう。
【００９５】
コンピュータ読み取り可能な命令の機能性は、様々な環境において必要に応じて組み合わせられることもあれば、分配されることもある。いくつかの実施形態では、コンピュータプログラムは１つの命令列を含む。いくつかの実施形態において、コンピュータプログラムは複数の命令列を含む。いくつかの実施形態では、コンピュータプログラムは１つの位置から提供される。他の実施形態では、コンピュータプログラムは複数の位置から提供される。様々な実施形態において、コンピュータプログラムは、１以上のソフトウェアモジュールを含む。様々な実施形態において、コンピュータプログラムは、一部または全体として、１つ以上のウェブアプリケーション、１つ以上のモバイルアプリケーション、１つ以上のスタンドアロンアプリケーション、１つ以上のウェブブラウザプラグイン、拡張、アドイン、またはアドオン、あるいはこれらの組み合わせを含む。
【００９６】
モバイルアプリケーション
いくつかの実施形態では、コンピュータプログラムは、モバイルデジタル処理装置に提供されるモバイルアプリケーションを含む。いくつかの実施形態では、モバイルアプリケーションは製造時にモバイルデジタル処理装置に提供される。他の実施形態では、モバイルアプリケーションは、本明細書に記載されるコンピュータネットワークによってモバイルデジタル処理装置に提供される。
【００９７】
本明細書で提供される開示を考慮して、モバイルアプリケーションは、当該技術分野で知られているハードウェア、言語、および開発環境を用いて、当業者に知られている技術により作成される。当業者は、モバイルアプリケーションが複数の言語で書かれることを認識するであろう。適切なプログラミング言語は、非限定的な例として、Ｃ、Ｃ＋＋、Ｃ＃、オブジェクティブ−Ｃ、Ｊａｖａ（登録商標）、Ｊａｖａｓｃｒｉｐｔ、パスカル、オブジェクトパスカル、Ｐｙｔｈｏｎ（商標）、Ｒｕｂｙ、ＶＢ．ＮＥＴ、ＷＭＬ、およびＣＳＳを含むまたは含まないＸＨＴＭＬ／ＨＴＭＬ、あるいはこれらの組み合わせを含む。
【００９８】
適切なモバイルアプリケーション開発環境は複数のリソースから入手可能である。市販の開発環境は、非限定的な例として、ＡｉｒｐｌａｙＳＤＫ、ａｌｃｈｅＭｏ、Ａｐｐｃｅｌｅｒａｔｏｒ（登録商標）、Ｃｅｌｓｉｕｓ、Ｂｅｄｒｏｃｋ、フラッシュライト、．ＮＥＴコンパクトフレームワーク、Ｒｈｏｍｏｂｉｌｅ、およびＷｏｒｋＬｉｇｈｔモバイルプラットフォームを含む。他の開発環境は、費用負担なく入手可能であり、非限定的な例として、Ｌａｚａｒｕｓ、ＭｏｂｉＦｌｅｘ、ＭｏＳｙｎｃ、およびＰｈｏｎｅｇａｐを含む。さらに、モバイル装置のメーカーは、非限定的な例として、ｉＰｈｏｎｅ（登録商標）およびｉＰａｄ（登録商標）（ｉＯＳ）ＳＤＫ、アンドロイド（商標）ＳＤＫ、ＢｌａｃｋＢｅｒｒｙ（登録商標）ＳＤＫ、ＢＲＥＷ  ＳＤＫ、Ｐａｌｍ（登録商標）ＯＳ  ＳＤＫ、Ｓｙｍｂｉａｎ  ＳＤＫ、ｗｅｂＯＳ  ＳＤＫ、およびＷｉｎｄｏｗｓ（登録商標）モバイルＳＤＫを含むソフトウェア開発者キットを販売している。
【００９９】
当業者はいくつかの市販のフォーラムが、非限定的な例として、Ａｐｐｌｅ（登録商標）Ａｐｐ  Ｓｔｏｒｅ、Ｇｏｏｇｌｅ（登録商標）Ｐｌａｙ、Ｃｈｒｏｍｅ  ＷｅｂＳｔｏｒｅ、ＢｌａｃｋＢｅｒｒｙ（登録商標）Ａｐｐ  Ｗｏｒｌｄ、ＰａｌｍデバイスのためのＡｐｐ  Ｓｔｏｒｅ、ｗｅｂＯＳのためのＡｐｐ  Ｃａｔａｌｏｇ、モバイル用のＷｉｎｄｏｗｓ（登録商標）Ｍａｒｋｅｔｐｌａｃｅ、Ｎｏｋｉａ（登録商標）装置のためのＯｖｉ  Ｓｔｏｒｅ、Ｓａｍｓｕｎｇ（登録商標）Ａｐｐｓ、および、Ｎｉｎｔｅｎｄｏ（登録商標）ＤＳｉ  Ｓｈｏｐを含む、モバイルアプリケーションの配布に利用可能であることを認識するであろう。
【０１００】
ソフトウェアモジュール
いくつかの実施形態では、本明細書で開示されるプラットフォーム、システム、媒体、および方法は、ソフトウェア、サーバー、および／またはデータベースモジュール、あるいはこれらの使用を含む。本明細書で提供される本開示を考慮して、ソフトウェアモジュールは、当該技術分野で既知のマシン、ソフトウェア、および言語を使用する、当業者に既知の技術によって作成される。本明細書に開示されるソフトウェアモジュールは多くの方法で実施される。様々な実施形態において、ソフトウェアモジュールは、ファイル、コードのセクション、プログラミングオブジェクト、プログラミング構造、またはそれらの組み合わせを含む。さらに様々な実施形態において、ソフトウェアモジュールは、複数のファイル、コードの複数のセクション、複数のプログラミングオブジェクト、複数のプログラミング構造、またはそれらの組み合わせを含む。様々な実施形態において、１つ以上のソフトウェアモジュールは、限定されないが、ウェブアプリケーション、モバイルアプリケーション、およびスタンドアロンアプリケーションを含む。いくつかの実施形態において、ソフトウェアモジュールは、１つのコンピュータプログラムまたはアプリケーション中にある。他の実施形態において、ソフトウェアモジュールは、１より多くのコンピュータプログラムまたはアプリケーション中にある。いくつかの実施形態において、ソフトウェアモジュールは１つのマシン上でホストされる（ｈｏｓｔｅｄ）。他の実施形態において、ソフトウェアモジュールは１より多くのマシン上でホストされる。さらなる実施形態において、ソフトウェアモジュールは、クラウドコンピューティングプラットフォーム上でホストされる。いくつかの実施形態において、ソフトウェアモジュールは１つの位置にある１つ以上のマシン上でホストされる。他の実施形態において、ソフトウェアモジュールは、１より多くの位置にある１つ以上のマシン上でホストされる。
【０１０１】
データベース
いくつかの実施形態では、本明細書で開示されるプラットフォーム、システム、媒体、および方法は１つ以上のデータベース、あるいはこれらの使用を含んでいる。本明細書で提供される開示を考慮して、当業者は、多くのデータベースがユーザー情報、あらかじめ構成された抽出プロトコル、および消費者により形成された習慣的な抽出プロトコルの記憶と検索に適していることを認識するであろう。様々な実施形態では、適切なデータベースは、非限定的な例として、リレーショナルデータベース、非リレーショナルデータベース、オブジェクト指向型データベース、オブジェクトデータベース、エンティティ関係モデルデータベース、結合性データベース、およびＸＭＬデータベースを含んでいる。さらに非限定的な例としては、ＳＱＬ、ＰｏｓｔｇｒｅＳＱＬ、ＭｙＳＱＬ、Ｏｒａｃｌｅ、ＤＢ２、およびＳｙｂａｓｅが挙げられる。いくつかの実施形態では、データベースはインターネットを利用したものである。さらなる実施形態では、データベースはウェブを利用したものである。またさらなる実施形態では、データベースはクラウドコンピューティングを利用したものである。他の実施形態では、データベースは１つ以上のローカルコンピュータメモリ装置を利用したものである。
【実施例】
【０１０２】
以下の実施例は現在の技術のいくつかの実施形態の実例となるものである。現在の技術の他の典型的な実施形態は、以下の列挙された実施例の前または後に示されることもある。
【０１０３】
現在の技術の１つの例（実施例１）において、飲料を抽出するための装置は、容器本体であって、流体を含むために容器本体内部の内部チャンバに対して一方の端部で開口部を含むように構成された容器本体と、内部チャンバ内にあり、それぞれが開口部を有する内部キャニスターと外部キャニスターを含めるように構成された抽出キャニスターであって、内部キャニスターと外部キャニスターは、開口部が抽出キャニスターの開位置で位置合わせされ、抽出キャニスターの閉位置で位置合わせされないように、回転するように動作可能である、抽出キャニスターと、内部チャンバへ熱を発生させる加熱ユニットと、内部キャニスターと外部キャニスターの１つまたは両方を開位置と閉位置へ回転させるためのアクチュエータであって、流体が内部チャンバに収容されている際、開位置にあるときには、流体は抽出キャニスターに出入りすることができ、閉位置にあるときには、抽出キャニスターに出入りすることができず、装置は抽出キャニスター内で固体の物質を貯蔵し、固体の物質を抽出するために流体の流れを制御するように動作可能である、アクチュエータとを備える。
【０１０４】
実施例２は、データを処理するためのプロセッサと、データを格納するかバッファリングするためのメモリとを含むデータ処理ユニットをさらに含む実施例１の装置を含み、データ処理ユニットは、加熱ユニットの動作を制御するために加熱ユニットと連通している。
【０１０５】
実施例３は、内部チャンバ内の流体の温度を検知するための温度センサーをさらに含む、実施例２の装置を含んでいる。
【０１０６】
実施例４は、データ処理ユニットが温度センサーからの温度データを受け取り、加熱ユニットに特定の温度まで熱を発生させるために検知された温度に基づいて流体の温度を調節するように構成される、実施例３の装置を含んでいる。
【０１０７】
実施例５は、アクチュエータがデータ処理ユニットと連通しているモーターを含む、実施例２の装置を含んでいる。
【０１０８】
実施例６は、データ処理ユニットが開位置または閉位置まで回転させるべくモーターを制御するように構成された、実施例５の装置を含んでいる。
【０１０９】
実施例７は、容器本体の外部にあり、データ処理ユニットと連通しているディスプレイをさらに含む実施例２の装置を含み、ディスプレイは流体の温度、あるいは抽出の時間、あるいはその両方に関連するデータを表示するように構成される。
【０１１０】
実施例８は、内部キャニスターが外部キャニスターの内部に挿入可能であり、抽出キャニスターが内部キャニスターに着脱されるキャップを備えた、実施例１の装置を含んでいる。
【０１１１】
実施例９は、開口部を覆う取り外し可能な蓋をさらに含む、実施例１の装置を含み、取り外し可能な蓋は、蓋が容器本体に取り付けられているときに流体を内部のコンパートメントから流出させるためのアパーチャーとアパーチャーカバーを含む。
【０１１２】
実施例１０は、容器本体に接続される取り外し可能なハウジングコンパートメントをさらに含む実施例１の装置を含み、取り外し可能なハウジングコンパートメントは内部にアイテムを貯蔵するための中空の内部領域を含む。
【０１１３】
実施例１１は、アクチュエータが、内部キャニスターに連結された手動レバーと、ユーザーに開位置と閉位置との間で抽出キャニスターを作動させるための容器本体の外部のノブとを備える、実施例１の装置を含んでいる。
【０１１４】
現在の技術の１つの実施（実施例１２）において、飲料を抽出するための装置は、容器本体であって、流体を含むために容器本体内部の内部チャンバに対して一方の端部で開口部を含むように構成された容器本体と、内部チャンバ内にあり、それぞれが開口部を有する内部キャニスターと外部キャニスターを含めるように構成された抽出キャニスターであって、内部キャニスターと外部キャニスターは、開口部が抽出キャニスターの開位置で位置合わせされるか、抽出キャニスターの閉位置で位置合わせされないように、回転するように動作可能である、抽出キャニスターと、内部チャンバへ熱を発生させる加熱ユニットと、内部チャンバ内で流体を冷ますための冷却ユニットと、内部キャニスターと外部キャニスターの１つまたは両方を開位置と閉位置へ回転させるためのアクチュエータであって、流体が内部チャンバに収容されている際、開位置にあるときには、流体は抽出キャニスターに出入りすることができ、閉位置にあるときには、抽出キャニスターに出入りすることができず、装置は抽出キャニスター内で固体の物質を貯蔵し、固体の物質を抽出するために流体の流れを制御するように動作可能である、アクチュエーターとを備える。
【０１１５】
実施例１３は、冷却ユニットが強制対流を生成する内部チャンバ内で流体の渦を作り出すためのスピニング装置を含む、実施例１２の装置を含んでいる。
【０１１６】
実施例１４は、冷却ユニットがペルチェ効果によって内部チャンバ内の流体を冷ますためのスピニング装置を含む、実施例１２の装置を含んでいる。
【０１１７】
実施例１５は、データを処理するためのプロセッサと、データを格納するかバッファリングするためのメモリとを含むデータ処理ユニットをさらに含む実施例１２の装置を含み、データ処理ユニットは、加熱ユニットと冷却ユニットの動作をそれぞれ制御するために加熱ユニットと冷却ユニットに連通している。
【０１１８】
実施例１６は、内部チャンバ内の流体の温度を検知するための温度センサーをさらに含む、実施例１５の装置を含んでいる。
【０１１９】
実施例１７は、データ処理ユニットが温度センサーからの温度データを受け取り、加熱ユニットに特定の温度まで熱を発生させるために検知された温度に基づいて流体の温度を調節するように構成される、実施例１６の装置を含んでいる。
【０１２０】
実施例１８は、データ処理ユニットが温度センサーからの温度データを受け取り、冷却ユニットに特定の温度まで流体を冷まさせるために検知された温度に基づいて流体の温度を調節するように構成される、実施例１６の装置を含んでいる。
【０１２１】
実施例１９は、アクチュエータがデータ処理ユニットと連通しているモーターを含む、実施例１５の装置を含んでいる。
【０１２２】
実施例２０は、データ処理ユニットが開位置または閉位置まで回転させるべくモーターを制御するように構成された、実施例１９の装置を含んでいる。
【０１２３】
実施例２１は、容器本体の外部にあり、データ処理ユニットと連通しているディスプレイをさらに含む実施例１５の装置を含み、ディスプレイは流体の温度、あるいは抽出の時間、あるいはその両方に関連するデータを表示するように構成される。
【０１２４】
実施例２２は、内部キャニスターが外部キャニスターの内部に挿入可能であり、抽出キャニスターが内部キャニスターに着脱されるキャップを備えた、実施例１２の装置を含んでいる。
【０１２５】
実施例２３は、開口部を覆う取り外し可能な蓋をさらに含む、実施例１２の装置を含み、取り外し可能な蓋は、蓋が容器本体に取り付けられているときに流体を内部のコンパートメントから流出させるためのアパーチャーとアパーチャーカバーを含む。
【０１２６】
実施例２４は、容器本体に接続される取り外し可能なハウジングコンパートメントをさらに含む実施例１２の装置を含み、取り外し可能なハウジングコンパートメントは内部にアイテムを貯蔵するための中空の内部領域を含む。
【０１２７】
実施例２５は、アクチュエータが、内部キャニスターに連結された手動レバーと、ユーザーに開位置と閉位置との間で抽出キャニスターを作動させるための容器本体の外部のノブとを備える、実施例１２の装置を含んでいる。
【０１２８】
現在の技術の１つの実施例（実施例２６）において、ユーザーは、本明細書に記載される携帯用飲料抽出装置の抽出チャンバへ所望の量のルーズリーフ茶葉を詰めて、容器本体の内部チャンバへ所望の量の水を加える。これを行うべく、ユーザーは、抽出キャニスターを取り外すためにアクチュエータを外して、装置の頂部を取り外す。ユーザーは抽出キャニスターの底部からキャップを取り外して抽出チャンバへのアクセスを設け、チャンバに茶葉を詰め、キャップを交換する。装置から抽出キャニスターを取り外すと、容器本体の内部チャンバへアクセス可能である。ユーザーは内部チャンバへ水を注ぎ、キャニスターを再度取り付け、装置の頂部を再度取り付ける。
【０１２９】
実施例２７は実施例２６のプロセスを含み、ここで、ユーザーは茶と水を詰めた後、スマートフォン上の本明細書に記載されるアプリケーションを開いて熱い抽出された茶葉の抽出プロトコル（所望の飲用温度を含む）を選択し、起きたい時間にタイマーをセットし、ベッド脇のテーブルに装置を置きっぱなしにする。ユーザーは起床時に温かく抽出された飲料を欲しいため、抽出キャニスターは、ユーザーが起きたいと思っている時間の直前まで一晩中閉位置のままであり、ここで、その時間の長さは、装置が水を温め、抽出キャニスターを開き、飲料を抽出し、ユーザーの望む飲用温度までそれを冷ますのにかかる時間と等しいか、それよりも長くなる。ユーザーが起床したときには、理想的な飲用温度の新鮮な１杯の茶ができており、ユーザーはそれをベッドで楽しむことができる。
【０１３０】
実施例２８は実施例２６のプロセスを含み、ここで、ユーザーは茶と水を詰めた後、スマートフォン上の本明細書に記載されるアプリケーションを開いて冷たく抽出された茶葉の抽出プロトコル（所望の飲用温度を含む）を選択し、起きたい時間にタイマーをセットし、ベッド脇のテーブルに装置を置きっぱなしにする。ユーザーは起床時に冷たく抽出された飲料を欲しいため、抽出キャニスターは、ユーザーが起きたいと思っている時間の直前まで一晩中閉位置のままであり、ここで、その時間の長さは、装置が抽出キャニスターを開き、飲料を抽出し、ユーザーの望む飲用温度までそれを加熱するのにかかる時間と等しいか、それよりも長くなる。ユーザーが起床したときには、理想的な飲用温度の新鮮な１杯の茶ができており、ユーザーはそれをベッドで楽しむことができる。
【０１３１】
実施例２９は実施例２６のプロセスを含み、ここで、ユーザーは茶と水を詰めた後、スマートフォン上の本明細書に記載されるアプリケーションを開いて茶葉の抽出プロトコル（所望の飲用温度を含む）を開始し、長時間のドライブのために車に乗り込む。ユーザーはドライブのために温かな抽出飲料が欲しい。装置は、ユーザーが装置とまったく対話を行わなくても茶葉を自動的に抽出する。ハンズフリーで抽出することにより、ユーザーは集中しながらドライブすることができる。ユーザーは理想的な飲用温度で飲料を楽しみ、車内を汚す心配もいらず、唇を火傷する心配もなく、ドライブから気を逸らさずに済む。
【０１３２】
実施例３０は実施例２６のプロセスを含み、ここで、ユーザーは茶と水を詰めた後、スマートフォン上の本明細書に記載されるアプリケーションを開いて茶葉の抽出プロトコル（抽出時間、抽出温度および飲用温度を含む）をカスタム設定して開始し、選択し、徒歩通勤のために設定する。ユーザーは仕事場に到着するときに温かな抽出飲料を欲しい。ユーザーが装置をバックパックに入れて歩いている間に、ユーザーが装置と対話を行うことなく、装置は自動的に茶葉を抽出する。
【０１３３】
実施例３１は実施例２６のプロセスを含み、ここで、ユーザーは茶と水を詰めた後、スマートフォン上の本明細書に記載されるアプリケーションを開いてあらかじめ設定された茶葉抽出プロトコルを選択して開始し、職場の机の上に装置を置いて、電子メールのチェックを始める。ユーザーは仕事日の開始時には温かく抽出された飲料を欲する。装置は自動的に水を加熱し、飲料を抽出し、理想的な飲用温度までそれを冷まし、準備ができたらユーザーに知らせる。ユーザーは、抽出を心配して仕事を妨げられたり、抽出材料を処分したり、茶をすすって（舌を火傷する可能性がある）茶が理想的な温度に冷めた頃合いを考えたりする必要はない。この心配事のないプロセスにより、労働者は集中して、生産的になることができ、すぐそばで理想的な一杯を淹れることができる。
【０１３４】
現在の技術の１つの実施例（実施例３２）において、ユーザーは本明細書に記載される卓上用の飲料抽出装置の抽出チャンバへ所望の量の挽いたコーヒーを詰め、装置の容器の内部チャンバへ所望の量の水を加える。これを行うべく、ユーザーは装置を開いて抽出キャニスターを取り外す。ユーザーは抽出キャニスターの底部からキャップを取り外して抽出チャンバへのアクセスを設けて、チャンバにコーヒーを詰めて、キャップを交換する。装置から抽出キャニスターを取り外すと、容器本体の内部チャンバへアクセス可能である。ユーザーは内部チャンバへ水を注ぎ、キャニスターを再度取り付けて、装置を閉じる。
【０１３５】
現在の技術の１つの実施例（実施例３３）において、ユーザーは４つの異なる茶葉ポッドを、本明細書に記載される携帯用飲料抽出装置のマルチチャンバ抽出キャニスターの抽出チャンバへ装填する。その後、ユーザーは、容器本体の内部チャンバに４杯の茶の分の十分な水を加える。これを行うべく、ユーザーは、抽出キャニスターを取り外すためにアクチュエータを外して、装置の頂部を取り外す。ユーザーは抽出キャニスターの底部からキャップを取り外して抽出チャンバへのアクセスを設けて、チャンバに茶ポッドを装填して、キャップを交換する。装置から抽出キャニスターを取り外すと、容器本体の内部チャンバへアクセス可能である。ユーザーは内部チャンバへ水を注ぎ、キャニスターを再度取り付け、装置の頂部を再度取り付ける。ユーザーは、茶ポッドと水を装填した後、スマートフォン上の本明細書に記載されるアプリケーションを開いて、茶ポッドのそれぞれについての温かく抽出された茶葉抽出プロトコルを選択してプロトコルを開始し、プロトコルはポッドのそれぞれで次々に実行され、独自に作られた４杯の茶を生成する。
【０１３６】
この特許文書に記載される主題と機能的な操作の実施は、様々なシステム、デジタル電子回路類、あるいは、本明細書で開示される構造とその構造的な等価物を含む、コンピュータソフトウェア、ファームウェア、あるいはハードウェアにおいて、もしくはそれらの１つ以上の組み合わせにおいて、随意に実施される。本明細書に記載される主題の実施は、１つ以上のコンピュータプログラム製品、つまり、データ処理装置による実行のための、あるいはデータ処理装置の操作を制御するための触知式および非一時的なコンピュータ読み取り可能な媒体上でエンコードされたコンピュータプログラム命令の１つ以上のモジュールとして随意に実行される。コンピュータ読み取り可能な媒体は、機械可読の記憶装置、機械可読記憶基質、メモリ装置、機械可読伝搬信号に影響を与える組成物あるいはこれらの１つ以上の組み合わせであり得る。「データ処理装置」との用語は、一例として、プログラム可能なプロセッサ、コンピュータ、あるいは複数のプロセッサあるいはコンピュータを含む、処理データのための装置、デバイス、およびマシンをすべて包含する。該装置は、ハードウェアに加えて、問題となっているコンピュータプログラム用の実行環境を作成するコード、例えば、プロセッサファームウェア、プロトコルスタック、データベース管理システム、オペレーティングシステム、あるいはこれらの１つ以上の組み合わせを構成するコードを含み得る。
【０１３７】
コンピュータプログラム（プログラム、ソフトウェア、ソフトウェアアプリケーション、スクリプト、あるいはコードとしても知られている）は、コンパイラ型言語あるいはインタープリタ型言語を含むプログラミング言語の任意の形態で随意に書かれており、スタンドアロンプログラムとして、あるいはモジュール、コンポーネント、サブルーチン、あるいは計算環境で使用するのに適した他のユニットとしての形態を含む、任意の形態で展開可能である。コンピュータプログラムは、必ずしもファイルシステム内のファイルに相当するわけではない。プログラムは、他のプログラムあるいはデータ（例えば、マークアップ言語ドキュメントに格納された１つ以上のスクリプト）を保持するファイルの一部に、問題となっているプログラム専用の単一のファイルに、あるいは複数の統合されたファイル（例えば、１つ以上のモジュール、サブプログラム、あるいはコードの一部を格納するファイル）に格納可能である。コンピュータプログラムは、１つのサイトに位置するか、複数のサイトに分布し、コミュニケーションネットワークによって相互連結される、１つのコンピュータあるいは複数のコンピュータ上で実行されるように随意に展開可能である。
【０１３８】
本明細書に記載されているプロセスとロジックの流れは、入力データ上で作動して出力をアウトプットすることにより機能を果たすために、１つ以上のコンピュータプログラムを実行する１つ以上のプログラム可能なプロセッサによって随意に行われる。プロセスとロジックの流れは、特殊用途ロジック回路、例えば、ＦＰＧＡ（フィールドプログラマブルゲートアレイ）あるいはＡＳＩＣ（特定用途向け集積回路）によっても行うことができ、装置も上記特殊目的ロジック回路として随意に実装される。
【０１３９】
コンピュータプログラムの実行に適したプロセッサとしては、一例として、汎用マイクロプロセッサと特殊用途マイクロプロセッサの両方、および任意の種類のデジタルコンピュータの任意の１つ以上のプロセッサが挙げられる。一般に、プロセッサは読み出し専用メモリまたはランダムアクセスメモリあるいはその両方からの命令とデータを受け取る。コンピュータの必須要素は、命令を行うためのプロセッサと、命令およびデータを格納するための１つ以上のメモリ装置である。一般に、コンピュータはさらに、データを格納するための１つ以上の大容量記憶装置（例えば、光磁気ディスクあるいは光ディスク）を含み、あるいは、該大容量記憶装置からのデータを受け取るか、あるいは該大容量記憶装置へデータを転送するか、またはその両方のために動作可能に連結される、しかしながら、コンピュータはそのようなデバイスを備える必要はない。コンピュータプログラム命令およびデータを格納するのに適したコンピュータ読み取り可能な媒体は、一例として、半導体記憶装置、例えば、ＥＰＲＯＭ、ＥＥＰＲＯＭ、およびフラッシュメモリ装置を含む不揮発性メモリ、媒体、およびメモリ装置のすべての形態を含む。プロセッサとメモリは、特殊用途ロジック回路によって補足されるか、あるいは特殊用途ロジック回路に組み込まれ得る。
【０１４０】
別段の定めのない限り、本明細書で使用されるすべての技術用語は、本発明が属する技術分野の当業者によって一般に理解されるのと同じ意味を持つ。明細書および添付の請求項内で用いられる通り、単数形「ａ」、「ａｎ」および「ｔｈｅ」は、文脈が他に明確に指示していない限り、複数の引用文を含む。本明細書の「または」へのあらゆる言及は、特に他に明記のない限り、「および／または」を包含することを意図している。本明細書の「典型的な」の任意の参照は、別段の定めのない限り、「例」を包含する。
【０１４１】
本特許文書は多くの詳細を含んでいるが、これらは、任意の発明あるいは特許請求の範囲に対する制限としてではなく、特定の発明の特定の実施形態に特有であり得る特徴の記載として解釈されなければならない。個別の実施形態の文脈において本特許文書に記載されている特有の特徴も、単一の実施形態において組み合わせて実施され得る。反対に、単一の実施形態の文脈で記載されている様々な特徴も、複数の実施形態で別々に、あるいは任意の適切なサブコンビネーションで実施され得る。さらに、特徴は特定の組み合わせで、あるいは当初そのようなものとして主張されたように作用するとして上に記載されることもあるが、主張された組み合わせからの１つ以上の特徴は、場合によってはその組み合わせから削除されることが可能であり、主張された組み合わせは、サブコンビネーションあるいはサブコンビネーションの変更形態に向けられることもある。
【０１４２】
同様に、作用は特定の順序で図面中に描かれているが、これは、そのような作用が、示された特定の順序あるいは連番で実行されること、もしくは望ましい結果を達成するために例証されたすべての作用が行われることを要求するものとして理解されてはならない。さらに、本特許文書に記載される実施形態中の様々なシステムのコンポーネントの分離は、すべての実施形態中のそのような分離を要求するものとして理解されてはならない。
【０１４３】
ごくわずかな実施と例しか記載されていないが、本特許文書に記載・例証されるものに基づいて他の実施、強化、および変更を行うことができる。
【図１Ａ】
2018521737.tif 000003
【図１Ｂ】
2018521737.tif 000004
【図２Ａ】
2018521737.tif 000005
【図２Ｂ】
2018521737.tif 000006
【図３】
2018521737.tif 000007
【図４】
2018521737.tif 000008
【図５Ａ】
2018521737.tif 000009
【図５Ｂ】
2018521737.tif 000010
【図６】
2018521737.tif 000011
【図７Ａ】
2018521737.tif 000012
【図７Ｂ】
2018521737.tif 000013
【図８】
2018521737.tif 000014
【図９Ａ】
2018521737.tif 000015
【図９Ｂ】
2018521737.tif 000016
【図１０Ａ】
2018521737.tif 000017
【図１０Ｂ】
2018521737.tif 000018
【図１０Ｃ】
2018521737.tif 000019
【図１１Ａ】
2018521737.tif 000020
【図１１Ｂ】
2018521737.tif 000021
【図１２−１】
2018521737.tif 000022
【図１２−２】
2018521737.tif 000023
【図１３Ａ】
2018521737.tif 000024
【図１３Ｂ】
2018521737.tif 000025
【図１４】
2018521737.tif 000026
【図１５】
2018521737.tif 000027
【図１６】
2018521737.tif 000028
【図１７】
2018521737.tif 000029
【図１８Ａ】
2018521737.tif 000030
【図１８Ｂ】
2018521737.tif 000031
【図１９】
2018521737.tif 000032
【国際調査報告】
2018521737.tif 000033
2018521737.tif 000034